(57)【要約】  複数の照明装置が制御される照明システムにおいて、制御機能を充実させると共に高い利便性を実現させる。  照明システムは、無線で制御される複数の照明装置と、それらの照明装置を制御する照明制御装置とを備える。照明装置は、同じ照明制御が実行される照明装置どうしをグループ化することにより作成された第１グループと、第１グループの全て又は幾つかを更にグループ化することにより作成された第２グループとに関連付けられる。照明制御装置は、第１制御機能と第２制御機能とを備える。第１制御機能は、第１グループを制御する機能である。第２制御機能は、第２グループに属する第１グループのそれぞれに照明制御情報を対応付けたシーン情報を、照明シーンに関する情報として記憶し、その第２グループに含まれる照明装置をシーン情報に従って第１グループごとに制御することにより、照明シーンを実現する機能である。
2016114331.tif 000002
【特許請求の範囲】
【請求項１】
無線で制御される複数の照明装置と、前記複数の照明装置を制御する照明制御装置とを備える照明システムであって、
前記複数の照明装置は、
同じ照明制御が実行される照明装置どうしをグループ化することにより作成された第１グループと、
前記第１グループの全て又は幾つかを更にグループ化することにより作成された第２グループと
に関連付けられ、
前記照明制御装置は、
前記第１グループを制御する第１制御機能と、
前記第２グループに属する前記第１グループのそれぞれに照明制御情報を対応付けたシーン情報を、照明シーンに関する情報として記憶し、その第２グループに含まれる照明装置を前記シーン情報に従って第１グループごとに制御することにより、前記照明シーンを実現する第２制御機能と
を備える、照明システム。
【請求項２】
前記照明制御装置は、表示部と、入力部と、記憶部とを備え、前記シーン情報を作成するための第１ユーザインタフェースを前記表示部に表示させることが可能であり、
前記第１ユーザインタフェースは、
前記第２グループを一覧で表示させる第１画像領域と、
前記第１画像領域に表示された前記第２グループの何れか１つが選択されたとき、選択された前記第２グループに設定されている前記照明シーンを一覧で表示させる第２画像領域と、
前記第２画像領域に表示された前記照明シーンの何れか１つが選択されたとき、選択された前記照明シーンを構成している前記第１グループを一覧で表示させると共に、表示された前記第１グループに対応した前記照明制御情報を表示させる第３画像領域と
を備え、
前記照明制御装置は、
前記第１ユーザインタフェース上で関連付けられた、前記第２グループと、前記照明シーンとの対応関係を、前記記憶部に記憶させると共に、
前記第１ユーザインタフェース上で関連付けられた、前記照明シーンと、その照明シーンを構成する前記第１グループ及び前記照明制御情報との対応関係を、前記シーン情報として、前記記憶部に記憶させる、請求項１に記載の照明システム。
【請求項３】
前記第１ユーザインタフェースは、
前記第１画像領域にて前記第２グループを追加、編集、又は削除するために、前記入力部からの操作により選択される第１ボタンと、
前記第２画像領域にて前記照明シーンを追加、編集、又は削除するために、前記入力部からの操作により選択される第２ボタンと、
前記第３画像領域にて前記第１グループを追加、編集、又は削除するために、前記入力部からの操作により選択される第３ボタンと、
前記第３画像領域に表示された前記第１グループの照明制御情報を、前記入力部からの操作により変更することを可能ならしめる変更操作画像と
を更に備える、請求項２に記載の照明システム。
【請求項４】
前記照明制御装置は、表示部と、入力部と、記憶部とを備え、前記第２グループに関連付けられた前記照明シーンの実行スケジュールを作成するための第２ユーザインタフェースを前記表示部に表示させることが可能であり、
前記第２ユーザインタフェースは、
前記実行スケジュールに従って実行させんとする前記照明シーンを一覧で表示させる第４画像領域と、
実行させる前記照明シーンを前記第４画像領域にて追加、編集、又は削除するために、前記入力部からの操作により選択される第４ボタンと
を備え、
前記表示部は、
前記第２グループに設定されている前記照明シーンの何れか１つを、前記入力部からの操作により選択することを可能ならしめるシーン選択画像と、
前記シーン選択画像で選択された前記照明シーンの開始時刻を、前記入力部からの操作により設定することを可能ならしめる時刻設定画像と
を表示可能であり、
前記入力部からの操作により、前記シーン選択画像にて前記照明シーンが選択されると共に、前記時刻設定画像にて前記開始時刻が設定されたとき、前記照明制御装置が、設定された前記開始時刻を、前記照明シーンに関連付けて前記記憶部に記憶させる、請求項１に記載の照明システム。
【請求項５】
前記第２ユーザインタフェースは、
前記第４画像領域に表示されている前記照明シーンの実行期間を視認させる画像であって、その画像において占める面積の割合で前記実行期間を表した画像を表示させる第５画像領域を
更に備える、請求項４に記載の照明システム。
【請求項６】
前記照明制御装置には、前記第１制御機能及び前記第２制御機能において、時間の経過に伴って制御内容を切り替える設定が予め施されており、
前記照明制御装置は、入力部を備え、前記入力部からの操作に応じて、前記第１制御機能及び前記第２制御機能についての有効と無効の切替え設定が可能であり、
前記第１制御機能及び前記第２制御機能の何れもが有効と設定されたとき、前記照明制御装置は、前記第１グループについて、制御中の時刻が、前記第１制御機能に基づく制御内容の切替え予定時刻と前記第２制御機能に基づく制御内容の切替え予定時刻とに到達するごとに、前記第１制御機能及び前記第２制御機能のうち、その到達時点で制御内容を切り替える設定が施されている一方の制御機能を優先的に選択して制御を行う、請求項１に記載の照明システム。
【請求項７】
前記照明制御装置は優先制御情報を保持し、前記優先制御情報は、前記第１制御機能に基づく制御内容の切替え予定時刻と前記第２制御機能に基づく制御内容の切替え予定時刻とが一致する場合に、前記照明制御装置が前記第１制御機能及び前記第２制御機能の何れを優先的に実行すべきかを示した情報であり、
前記照明制御装置は、前記第１制御機能及び前記第２制御機能に基づく制御内容の切替え予定時刻が一致した時点に到達したときに、前記優先制御情報により示される制御機能を選択して実行する、請求項６に記載の照明システム。
【請求項８】
前記照明装置の少なくとも１つは、色の異なる第１発光ダイオード及び第２発光ダイオードを備え、前記第１発光ダイオードの明るさと前記第２発光ダイオードの明るさとを合わせた明るさの合計量の、その最大値に対する比率である明るさ比で、前記第１発光ダイオード及び前記第２発光ダイオードを発光させると共に、前記第１発光ダイオードの明るさと前記第２発光ダイオードの明るさとの比率である調色比（第１発光ダイオードの明るさ：第２発光ダイオードの明るさ）で前記照明装置の照明色を調整する調色制御が可能な、照明システムであって、
前記照明制御装置は、前記第１発光ダイオードの明るさと前記第２発光ダイオードの明るさとをそれぞれ独立に制御することが可能であり、
前記照明制御装置は、
前記明るさ比が５０％以下となる領域において、前記第１発光ダイオードの明るさと前記第２発光ダイオードの明るさとを制御することに加えて、
前記調色比が５０：５０の場合に、前記明るさの比が５０％を超える領域においても、前記第１発光ダイオードの明るさと前記第２発光ダイオードの明るさとを制御することが可能である、請求項１に記載の照明システム。
【請求項９】
前記照明制御装置は、表示部と、入力部と、記憶部とを備え、前記第１制御機能及び前記第２制御機能の少なくとも何れか一方において、前記第１グループに属する照明装置の前記照明色を決定するための第３ユーザインタフェースを前記表示部に表示させることが可能であり、
前記第３ユーザインタフェースは、
前記調色比と前記明るさ比とによって規定される座標系において、対応する座標での前記調色比及び前記明るさ比が視認可能な状態で表示された調色画像
を備え、
前記照明制御装置は、前記入力部からの操作により前記調色画像内の１つの座標が選択されたとき、選択された前記座標に対応する前記調色比及び前記明るさ比に基づいて、前記第１発光ダイオードの明るさ及び前記第２発光ダイオードの明るさ、又はそれらの明るさに対応した物理量をそれぞれ算出し、算出した前記明るさ又は前記物理量に関する情報を、対応する前記第１グループに関連付けて記憶部に記憶させる、請求項８に記載の照明システム。
【請求項１０】
前記照明装置との直接的な無線通信を行うゲートウェイを更に備える、照明システムであって、
前記照明制御装置は、通信部と、表示部と、入力部と、記憶部とを備え、前記通信部及び前記ゲートウェイを介して前記照明装置を制御し、
前記照明装置は、それぞれの識別を可能にする識別情報を持ち、
前記照明制御装置は、
前記ゲートウェイとの直接的な通信が可能な前記照明装置から前記識別情報を取得すると共に、前記ゲートウェイと前記照明装置との間の通信品質に関する通信品質情報を取得する制御と、
取得した前記識別情報を、取得した前記通信品質情報に基づき、通信品質の高い順に並べ替えて前記表示部に表示させる制御と、
前記入力部からの操作により、前記識別情報と、前記表示部に表示された前記照明装置との、ユーザによる対応付けが行われたとき、前記対応付けを前記記憶部に記憶させる制御と
を実行する、請求項１に記載の照明システム。
【請求項１１】
前記照明制御装置は、
取得した前記識別情報を前記表示部に表示させる制御において、前記識別情報の一覧と共に、前記照明装置の配置が示された配灯図を前記表示部に表示させ、
前記対応付けを前記記憶部に記憶させる制御において、前記入力部からの操作により、前記識別情報が前記配灯図上の照明装置に対応付けられたとき、その対応付けを前記記憶部に記憶させる、
請求項１０に記載の照明システム。
【請求項１２】
複数の照明装置を無線で制御する照明制御装置であって、
同じ照明制御が実行される照明装置どうしをグループ化することにより作成された第１グループを制御する第１制御機能と、
前記第１グループの全て又は幾つかを更にグループ化することにより作成された第２グループについて、前記第２グループに属する前記第１グループのそれぞれに照明制御情報を対応付けたシーン情報を、照明シーンに関する情報として記憶し、その第２グループに含まれる照明装置を前記シーン情報に従って第１グループごとに制御することにより、前記照明シーンを実現する第２制御機能と
を備える、照明制御装置。
【発明の詳細な説明】
【技術分野】
【０００１】
本発明は、照明システムに関し、特に複数の照明装置を一元的に制御する技術に関する。
【背景技術】
【０００２】
従来の照明システムでは、１つの照明装置を、これに対応する１つの照明制御装置を用いて無線通信により制御する技術が多く用いられている（例えば、特許文献１参照）。具体的には、照明制御装置は、送信部、入力部、及び第１制御部を有し、第１制御部は、入力部から入力される指令に基づいて、点灯信号、消灯信号、調光信号などを含んだ制御信号を生成すると共に、その制御信号を、送信部を通じて照明装置へ送信する。照明装置は、受信部、ＬＥＤ（Light  Emitting  Diode）等の発光部、及び第２制御部を有し、照明制御装置の送信部から送信される制御信号を受信部が受信したとき、第２制御部は、受信部が受信した制御信号に応じた照明制御（点灯、消灯、調光等）を発光部に対して行う。
【先行技術文献】
【特許文献】
【０００３】
【特許文献１】特開２０１０−２３８５７２号公報
【発明の概要】
【発明が解決しようとする課題】
【０００４】
オフィス等の広い空間では、複数の照明装置が必要となる。複数の照明装置を無線通信により個別に制御しようとした場合、従来の照明システムでは、照明装置の各々に対して１つの照明制御装置が必要となる。このため、照明装置の数が多くなると、全ての照明装置を個別に制御することは実質的に不可能となる。【０００５】
例えば、１つの照明制御装置により、オフィス等の空間に設置されている全ての照明装置に対して同じ照明制御を行うことは可能である。しかし、この様な制御では、照明装置が配置されている位置や照明の時間帯によっては、照明装置の照度が適切でなく、電力が無駄に消費されることになる。【０００６】
そこで本発明の目的は、複数の照明装置が制御される照明システムにおいて、制御機能を充実させると共に高い利便性を実現させることである。
【課題を解決するための手段】
【０００７】
本発明に係る照明システムは、無線で制御される複数の照明装置と、それらの照明装置を制御する照明制御装置とを備える。照明装置は、同じ照明制御が実行される照明装置どうしをグループ化することにより作成された第１グループと、第１グループの全て又は幾つかを更にグループ化することにより作成された第２グループとに関連付けられる。照明制御装置は、第１制御機能と第２制御機能とを有する。第１制御機能は、第１グループを制御する機能である。第２制御機能は、第２グループに属する第１グループのそれぞれに照明制御情報を対応付けたシーン情報を、照明シーンに関する情報として記憶し、その第２グループに含まれる照明装置をシーン情報に従って第１グループごとに制御することにより、照明シーンを実現する機能である。
【発明の効果】
【０００８】
本発明に係る照明システムによれば、複数の照明装置を制御する制御機能が充実すると共に高い利便性が実現させる。
【図面の簡単な説明】
【０００９】
【図１】ＬＥＤ照明システムの構成を概念的に示したブロック図である。
【図２】照明制御装置の構成を概念的に示したブロック図である。
【図３】ＬＥＤ照明装置の各々が持つ構成を概念的に示したブロック図である。
【図４】事前準備において、照明制御装置の第１制御部が実行する制御及びユーザが行う操作を示したフローチャートである。
【図５】配灯画像が表示されているモニタ画面を示した図である。
【図６】エリア画像の作成操作の説明に用いられるモニタ画面を示した図である。
【図７】作成されたエリア画像が表示されているモニタ画面を示した図である。
【図８】エリア画像をリスト化する際に実行されるドラッグ操作の説明に用いられるモニタ画面を示した図である。
【図９】象徴画像の配置操作を行うためのモニタ画面を示した図である。
【図１０】象徴画像の配置操作の説明に用いられるモニタ画面を示した図である。
【図１１】象徴画像の配置操作の説明に用いられるモニタ画面を示した図である。
【図１２】配置された象徴画像が表示されているモニタ画面を示した図である。
【図１３】グループ登録において、照明制御装置の第１制御部が実行する制御及びユーザが行う操作を示したフローチャートである。
【図１４】照明制御装置のタッチパネルに表示されるホームＵＩを示した図である。
【図１５】照明制御装置のタッチパネルに表示されるセットアップＵＩを示した図である。
【図１６】ＬＥＤ照明装置（第１識別情報）とエリア画像とを関連付ける際に実行されるドラッグ操作の説明に用いられるグループ登録ＵＩを示した図である。
【図１７】ＬＥＤ照明装置（第１識別情報）と象徴画像とを関連付ける際に実行されるドラッグ操作の説明に用いられるグループ登録ＵＩを示した図である。
【図１８】照明制御装置のタッチパネルに表示されるグループスケジュール設定ＵＩを示した図である。
【図１９】グループスケジュール設定の説明に用いられるグループスケジュール設定ＵＩを示した図である。
【図２０】グループスケジュール設定の説明に用いられるグループスケジュール設定ＵＩを示した図である。
【図２１】グループスケジュール設定の説明に用いられるグループスケジュール設定ＵＩを示した図である。
【図２２】グループスケジュール設定の説明に用いられるグループスケジュール設定ＵＩを示した図である。
【図２３】照明制御装置のタッチパネルに表示されるグループ対応付け設定ＵＩを示した図である。
【図２４】グループ対応付け設定の説明に用いられるグループ対応付け設定ＵＩを示した図である。
【図２５】照明制御装置のタッチパネルに表示されるシーン設定ＵＩを示した図である。
【図２６】シーン設定の説明に用いられるシーン設定ＵＩを示した図である。
【図２７】シーン設定の説明に用いられるシーン設定ＵＩを示した図である。
【図２８】シーン設定の説明に用いられるシーン設定ＵＩを示した図である。
【図２９】シーン設定の説明に用いられるシーン設定ＵＩを示した図である。
【図３０】シーン設定の説明に用いられるシーン設定ＵＩを示した図である。
【図３１】シーン設定の説明に用いられるシーン設定ＵＩを示した図である。
【図３２】シーン設定の説明に用いられるシーン設定ＵＩを示した図である。
【図３３】シーン設定の説明に用いられるシーン設定ＵＩを示した図である。
【図３４】シーン設定の説明に用いられるシーン設定ＵＩを示した図である。
【図３５】シーン設定の説明に用いられるシーン設定ＵＩを示した図である。
【図３６】照明制御装置のタッチパネルに表示されるシーンスケジュール設定用のメインＵＩを示した図である。
【図３７】メインＵＩ上での操作の説明に用いられるメインＵＩを示した図である。
【図３８】メインＵＩ上での操作の説明に用いられるメインＵＩを示した図である。
【図３９】照明制御装置のタッチパネルに表示されるシーンスケジュール設定ＵＩを示した図である。
【図４０】シーンスケジュール設定の説明に用いられるシーンスケジュール設定ＵＩを示した図である。
【図４１】シーンスケジュール設定の説明に用いられるシーンスケジュール設定ＵＩを示した図である。
【図４２】シーンスケジュール設定の説明に用いられるシーンスケジュール設定ＵＩを示した図である。
【図４３】シーンスケジュール設定の説明に用いられるシーンスケジュール設定ＵＩを示した図である。
【図４４】メインＵＩ上での操作の説明に用いられるメインＵＩを示した図である。
【図４５】グループ制御用ウィンドウが表示されているホームＵＩを示した図である。
【図４６】シーン制御用ウィンドウが表示されているホームＵＩを示した図である。
【図４７】優先制御の説明に用いられる図である。
【図４８】第１変形例において、ＬＥＤ照明装置の各々が持つ構成を概念的に示したブロック図である。
【図４９】第１変形例において、照明制御装置のタッチパネルに表示される調色設定ＵＩを示した図である。
【図５０】第１変形例において、照明制御装置のタッチパネルに表示される調色設定ＵＩを示した図である。
【図５１】第２変形例において、照明制御装置の第１制御部が実行する制御及びユーザが行う操作を示したフローチャートである。
【図５２】第２変形例において、第２識別情報が表示されているタッチパネルの画面を示した図である。
【図５３】第２変形例において、ＬＥＤ照明システムが備えるゲートウェイを概念的に示した斜視図である。
【図５４】第３変形例において、照明制御装置が持つ構成を概念的に示したブロック図である。
【図５５】第３変形例において、表示部及び入力部の構成が具体的に示された照明制御装置の正面図である。
【発明を実施するための形態】
【００１０】
先ず、本発明の実施形態を列記して説明する。
【００１１】
本発明の実施形態に係る照明システムは、無線で制御される複数の照明装置と、それらの照明装置を制御する照明制御装置とを備える。照明装置は、同じ照明制御が実行される照明装置どうしをグループ化することにより作成された第１グループと、第１グループの全て又は幾つかを更にグループ化することにより作成された第２グループとに関連付けられる。照明制御装置は、第１制御機能と第２制御機能とを備える。ここで、第１制御機能は、第１グループを制御する機能である。第２制御機能は、第２グループに属する第１グループのそれぞれに照明制御情報を対応付けたシーン情報を、照明シーンに関する情報として記憶し、その第２グループに含まれる照明装置をシーン情報に従って第１グループごとに制御することにより、照明シーンを実現する機能である。この様な照明システムによれば、複数の照明装置を制御する制御機能が充実すると共に高い利便性が実現させる。
【００１２】
上記照明システムの具体的な構成において、照明制御装置は、表示部と、入力部と、記憶部とを備え、シーン情報を作成するための第１ユーザインタフェースを表示部に表示させることが可能である。第１ユーザインタフェースは、第１画像領域と、第２画像領域と、第３画像領域とを備える。ここで、第１画像領域は、第２グループを一覧で表示させる領域である。第２画像領域は、第１画像領域に表示された第２グループの何れか１つが選択されたとき、選択された第２グループに設定されている照明シーンを一覧で表示させる領域である。第３画像領域は、第２画像領域に表示された照明シーンの何れか１つが選択されたとき、選択された照明シーンを構成している第１グループを一覧で表示させると共に、表示された第１グループに対応した照明制御情報を表示させる領域である。そして、照明制御装置は、第１ユーザインタフェース上で関連付けられた、第２グループと、照明シーンとの対応関係を、記憶部に記憶させると共に、第１ユーザインタフェース上で関連付けられた、照明シーンと、その照明シーンを構成する第１グループ及び照明制御情報との対応関係を、シーン情報として、記憶部に記憶させる。
【００１３】
第１ユーザインタフェースは、第２制御機能を実現させるべく、ユーザがシーン情報の作成（シーン設定）を行う際に用いられる。このため、ユーザにとっての利便性が高まる。
【００１４】
より具体的には、第１ユーザインタフェースは、第１ボタンと、第２ボタンと、第３ボタンと、変更操作画像とを更に備える。ここで、第１ボタンは、第１画像領域にて第２グループを追加、編集、又は削除するために、入力部からの操作により選択される。第２ボタンは、第２画像領域にて照明シーンを追加、編集、又は削除するために、入力部からの操作により選択される。第３ボタンは、第３画像領域にて第１グループを追加、編集、又は削除するために、入力部からの操作により選択される。変更操作画像は、第３画像領域に表示された第１グループの照明制御情報を、入力部からの操作により変更することを可能ならしめる画像である。
【００１５】
上記照明システムの他の具体的な構成において、照明制御装置は、表示部と、入力部と、記憶部とを備え、第２グループに関連付けられた照明シーンの実行スケジュールを作成するための第２ユーザインタフェースを表示部に表示させることが可能である。第２ユーザインタフェースは、第４画像領域と、第４ボタンとを備える。ここで、第４画像領域は、実行スケジュールに従って実行させんとする照明シーンを一覧で表示させる領域である。第４ボタンは、実行させる照明シーンを第４画像領域にて追加、編集、又は削除するために、入力部からの操作により選択される。又、表示部は、シーン選択画像と時刻設定画像とを表示可能である。ここで、シーン選択画像は、第２グループに設定されている照明シーンの何れか１つを、入力部からの操作により選択することを可能ならしめる画像である。時刻設定画像は、シーン選択画像で選択された照明シーンの開始時刻を、入力部からの操作により設定することを可能ならしめる画像である。そして、入力部からの操作により、シーン選択画像にて照明シーンが選択されると共に、時刻設定画像にて開始時刻が設定されたとき、照明制御装置が、設定された開始時刻を、照明シーンに関連付けて記憶部に記憶させる。
【００１６】
第２ユーザインタフェースは、第２制御機能を実現させるべく、ユーザが実行スケジュールの作成（シーンスケジュール設定）を行う際に用いられる。このため、ユーザにとっての利便性が高まる。
【００１７】
より具体的には、第２ユーザインタフェースは、第５画像領域を更に備える。ここで、第５画像領域は、第４画像領域に表示されている照明シーンの実行期間を視認させる画像であって、その画像において占める面積の割合で実行期間を表した画像を表示させる。
【００１８】
上記照明システムの更なる他の具体的な構成において、照明制御装置には、第１制御機能及び第２制御機能において、時間の経過に伴って制御内容を切り替える設定が予め施されている。又、照明制御装置は、入力部を備え、入力部からの操作に応じて、第１制御機能及び第２制御機能についての有効と無効の切替え設定が可能である。そして、第１制御機能及び第２制御機能の何れもが有効と設定されたとき、照明制御装置は、第１グループについて、制御中の時刻が、第１制御機能に基づく制御内容の切替え予定時刻と第２制御機能に基づく制御内容の切替え予定時刻とに到達するごとに、第１制御機能及び第２制御機能のうち、その到達時点で制御内容を切り替える設定が施されている一方の制御機能を優先的に選択して制御を行う。
【００１９】
この様な制御（優先制御）によれば、第１制御機能及び第２制御機能の何れもが有効と設定されている場合でも、照明制御装置は、滞りなく且つ効率的に照明制御を実行することが出来る。
【００２０】
より具体的には、照明制御装置は優先制御情報を保持し、優先制御情報は、第１制御機能に基づく制御内容の切替え予定時刻と第２制御機能に基づく制御内容の切替え予定時刻とが一致する場合に、照明制御装置が第１制御機能及び第２制御機能の何れを優先的に実行すべきかを示した情報である。そして、照明制御装置は、第１制御機能及び第２制御機能に基づく制御内容の切替え予定時刻が一致した時点に到達したときに、優先制御情報により示される制御機能を選択して実行する。
【００２１】
上記照明システムの更なる他の具体的な構成において、照明装置の少なくとも１つは、色の異なる第１発光ダイオード及び第２発光ダイオードを備える。そして、照明システムでは、第１発光ダイオードの明るさと第２発光ダイオードの明るさとを合わせた明るさの合計量の、その最大値に対する比率である明るさ比で、第１発光ダイオード及び第２発光ダイオードを発光させると共に、第１発光ダイオードの明るさと第２発光ダイオードの明るさとの比率である調色比（第１発光ダイオードの明るさ：第２発光ダイオードの明るさ）で照明装置の照明色を調整する調色制御が可能である。
【００２２】
この様な照明システムにおいて、照明制御装置は、第１発光ダイオードの明るさと第２発光ダイオードの明るさとをそれぞれ独立に制御することが可能である。そして、照明制御装置は、明るさ比が５０％以下となる領域において、第１発光ダイオードの明るさと第２発光ダイオードの明るさとを制御することに加えて、調色比が５０：５０の場合に、明るさの比が５０％を超える領域においても、第１発光ダイオードの明るさと第２発光ダイオードの明るさとを制御することが可能である。
【００２３】
この様な構成によれば、照明制御装置には調色制御機能が備わることになるので、照明システムにおいて制御機能が充実することになる。又、調色制御に関するオーバードライブが実現されるので、従来に比べて、より明るい照明シーンを実現することが可能となる。
【００２４】
より具体的には、照明制御装置は、表示部と、入力部と、記憶部とを備え、第１制御機能及び第２制御機能の少なくとも何れか一方において、第１グループに属する照明装置の照明色を決定するための第３ユーザインタフェースを表示部に表示させることが可能である。第３ユーザインタフェースは、調色画像を備える。ここで、調色画像は、調色比と明るさ比とよって規定される座標系において、対応する座標での調色比及び明るさ比が視認可能な状態で表示された画像である。そして、照明制御装置は、入力部からの操作により調色画像内の１つの座標が選択されたとき、選択された座標に対応する調色比及び明るさ比に基づいて、第１発光ダイオードの明るさ及び第２発光ダイオードの明るさ、又はそれらの明るさに対応した物理量をそれぞれ算出し、算出した明るさ又は物理量に関する情報を、対応する第１グループに関連付けて記憶部に記憶させる。
【００２５】
第３ユーザインタフェースは、照明制御装置が持つ調色制御機能を実現させるべく、ユーザが調色設定を行う際に用いられる。このため、ユーザにとっての利便性が高まる。
【００２６】
上記照明システムの更なる他の具体的な構成において、照明システムは、照明装置との直接的な無線通信を行うゲートウェイを更に備える。照明制御装置は、通信部と、表示部と、入力部と、記憶部とを備え、通信部及びゲートウェイを介して照明装置を制御する。照明装置は、それぞれの識別を可能にする識別情報を持つ。そして、照明制御装置は、先ず、ゲートウェイとの直接的な通信が可能な照明装置から識別情報を取得すると共に、ゲートウェイと照明装置との間の通信品質に関する通信品質情報を取得する制御を行う。次に、照明制御装置は、取得した識別情報を、取得した通信品質情報に基づき、通信品質の高い順に並べ替えて表示部に表示させる制御を行う。その後、入力部からの操作により、識別情報と、表示部に表示された照明装置との、ユーザによる対応付けが行われたとき、照明制御装置は、その対応付けを記憶部に記憶させる制御を行う。
【００２７】
この様な構成によれば、識別情報を表示部に表示させるとき、表示部には、取得された識別情報が、これらに対応する照明装置までの距離が小さい順に表示されることになる。よって、識別情報と、表示部に表示された照明装置との、ユーザによる対応付けが、容易になる。
【００２８】
より具体的には、取得した識別情報を表示部に表示させる制御において、照明制御装置は、識別情報の一覧と共に、照明装置の配置が示された配灯図を表示部に表示させる。又、対応付けを記憶部に記憶させる制御において、照明制御装置は、入力部からの操作により、識別情報が配灯図上の照明装置に対応付けられたとき、その対応付けを記憶部に記憶させる。
【００２９】
次に、本発明の実施形態の詳細について説明する。
【００３０】
［１］ＬＥＤ照明システムの構成
図１は、本発明の一実施形態に係る照明システムについて、その一例であるＬＥＤ照明システムの構成を概念的に示したブロック図である。ＬＥＤ照明システムは、複数のＬＥＤ照明装置２と、これらのＬＥＤ照明装置２を無線通信により制御する照明制御装置１と、有線式のネットワーク３と、センサ４とを備えている。照明制御装置１は、コンピュータを備えた情報処理装置である。本実施形態では、一例として、照明制御装置１はタブレット型のパーソナルコンピュータ（以下、「ＰＣ」と略す。）であるとして説明する。
【００３１】
ネットワーク３は、ハブ（ＨＵＢ）を通じて互いに有線接続された複数のゲートウェイＧＷを有している。ゲートウェイＧＷの各々は、無線通信により、ＬＥＤ照明装置２及び照明制御装置１との間で情報を伝達し合う。そして、照明制御装置１は、ネットワーク３内の少なくとも１つのゲートウェイＧＷを介して、ＬＥＤ照明装置２との通信を行う。ゲートウェイＧＷは、通信プロトコルの変換を行う通信中継器と、照明制御装置１から出力される制御信号に応じてＬＥＤ照明装置２の照明制御を行う制御器とを有している。
【００３２】
本実施形態のＬＥＤ照明システムによれば、照明制御装置１と複数のＬＥＤ照明装置２との無線通信が、ネットワーク３（ゲートウェイＧＷ）で中継される。従って、オフィス等の広い空間に複数のＬＥＤ照明装置２が設置されている場合でも、照明制御装置１とＬＥＤ照明装置２との間での無線通信を確実に行うことが可能となる。
【００３３】
更に、本実施形態のＬＥＤ照明システムにおいては、複数のゲートウェイＧＷが有線接続されている。従って、複数の部屋や複数の階に亘って複数のＬＥＤ照明装置２が設置されている場合でも、各部屋又は各階にゲートウェイＧＷが設置されることにより、全てのＬＥＤ照明装置２の照明制御を、１つの照明制御装置１で一括して管理することが可能になる。
【００３４】
センサ４は、照度センサと人感センサとが一体的に形成されたものであり、複数のＬＥＤ照明装置２が配置されている空間に設けられている。センサ４は、無線通信により、ゲートウェイＧＷとの間で情報を伝達し合う。そして、照明制御装置１は、ネットワーク３を通じて、センサ４から出力された検出信号を取得する。尚、センサ４には、必ずしも照度センサと人感センサの両方が含まれている必要はなく、いずれか一方のセンサのみが含まれていてもよい。又、ＬＥＤ照明装置２が配置されている空間には、照明センサと人感センサとが別個に設けられていてもよい。
【００３５】
図２は、照明制御装置１の構成を概念的に示したブロック図である。照明制御装置１は、第１送信部１１と、第１受信部１２と、第１制御部１３と、表示部１４と、入力部１５と、記憶部１６とを有している。本実施形態において、表示部１４及び入力部１５は、これらが一体的に形成されたタッチパネル１８である。
【００３６】
第１送信部１１は、第１制御部１３によって生成された信号を、ネットワーク３を通じてＬＥＤ照明装置２やセンサ４へ送信する。第１制御部１３が生成する信号には、点灯信号、消灯信号、調光信号、調色信号などの制御信号が含まれる。第１受信部１２は、ＬＥＤ照明装置２やセンサ４から出力された信号を、ネットワーク３を通じて受信する。即ち、第１送信部１１及び第１受信部１２は何れも、照明制御装置１の通信部として機能する。そして、照明制御装置１は、これらの通信部を介した無線通信によりＬＥＤ照明装置２を制御する。尚、第１制御部１３が実行する制御の詳細については、後述する。
【００３７】
図３は、ＬＥＤ照明装置２の各々が持つ構成を概念的に示したブロック図である。ＬＥＤ照明装置２の各々は、第２送信部２１と、第２受信部２２と、第２制御部２３と、ＬＥＤ２４とを有している。又、ＬＥＤ照明装置２の各々は、他のＬＥＤ照明装置２との識別を可能にする第１識別情報ＩＤ１を有している。
【００３８】
第２送信部２１は、第２制御部２３によって生成された信号を、ネットワーク３を通じて照明制御装置１へ送信する。第２制御部２３が生成する信号には、第１識別情報ＩＤ１を持った情報信号が含まれる。本実施形態において、第２送信部２１及び第２受信部２２は、これらが一体的に形成されたワイヤレスモジュールであり、第１識別情報ＩＤ１は、ＬＥＤ照明装置２の各々に設けられたワイヤレスモジュールを識別するためのものである。第２送信部２１からの信号の送信は、例えば、照明制御装置１からの指令に応じて実行される。
【００３９】
第２受信部２２は、照明制御装置１から出力された制御信号、又はこの制御信号に応じてゲートウェイＧＷの制御器から出力される制御信号を、ネットワーク３を通じて受信する。第２制御部２３は、第２受信部２２にて受信される制御信号に基づいて、ＬＥＤ２４の照明制御（点灯、消灯、調光、調色等）を行う。
【００４０】
［２］ＬＥＤ照明システムの制御
［２−１］制御機能
ＬＥＤ照明システムの制御に関し、照明制御装置１は、少なくとも第１制御機能と第２制御機能とを有している。ここで、第１制御機能は、複数のＬＥＤ照明装置２のうち同じ照明制御が実行されるＬＥＤ照明装置２どうしをグループ化することにより作成された複数の第１グループをそれぞれ独立に制御する機能である。第２制御機能は、第１グループの全て又は幾つかを更にグループ化することにより作成された第２グループにおいて、その第２グループに含まれる全てのＬＥＤ照明装置２を第１グループごとに制御することにより、照明シーンを実現する機能である。以下、第１グループを単に「グループ」と呼び、第２グループを「ゾーン」と呼ぶことにする。又、第１制御機能を「グループ制御機能」と呼び、第２制御機能を「シーン制御機能」と呼ぶことにする。尚、「グループ」という概念には、それに属するＬＥＤ照明装置２が単数である場合も含まれる。
【００４１】
以下では、グループ制御機能及びシーン制御機能を実現する上で必要となる制御並びにユーザによる操作について順に説明する。
【００４２】
［２−２］事前準備
図４は、事前準備において、照明制御装置１の第１制御部１３が実行する制御及びユーザが行う操作を示したフローチャートである。又、図５〜図１２は、この事前準備に関連してパーソナルコンピュータ（ＰＣ）に表示されるモニタ画面を示した図である。
【００４３】
事前準備において、先ず、ユーザが、ＰＣを用いて象徴画像を作成又は配置する（図４のステップＳ２０１）。具体的には、ユーザは先ず、複数のＬＥＤ照明装置２の配置が示された配灯画像ＰをＰＣのハードディスクに読み込み、読み込んだ配灯画像ＰをＰＣモニタに表示する（図５参照）。図５では、ＬＥＤ照明装置２の配置が複数の丸印によって示されている。尚、配灯画像Ｐには、内装や設備等に関する画像が含まれていてもよい。又、配灯画像Ｐは、透視図法により作成された画像であってもよい。更に、ユーザは、配灯画像Ｐを生成するために必要な、複数のＬＥＤ照明装置２の配置に関する配置情報を、ＰＣのハードディスクに読み込んでもよい。この場合、ユーザは、ＰＣに、ハードディスクから配置情報を読み出させると共に、その配置情報に基づいて配灯画像Ｐを生成させる。
【００４４】
配灯画像Ｐが表示された画面において、ユーザは、ＰＣモニタに表示された配灯画像Ｐ上に、マウス等の操作により象徴画像を作成又は配置する。ここで、象徴画像は、少なくとも１つの第１識別情報ＩＤ１が関連付けられることにより、その第１識別情報ＩＤ１を持つＬＥＤ照明装置２と対応付けられることになる画像である。本実施形態において、象徴画像は、ＰＣモニタや照明制御装置１において配灯画像Ｐに重ねて表示されることにより、配灯画像Ｐ上において象徴画像と重なる位置に配された少なくとも１つのＬＥＤ照明装置２に対応していることを、ユーザに認識させることが出来る。即ち、配灯画像Ｐ上において、象徴画像は、その象徴画像と重なる位置に配された少なくとも１つのＬＥＤ照明装置２に対応していることを象徴する画像である。尚、象徴画像は、少なくとも１つの第１識別情報ＩＤ１が関連付けられる箱の様なものとして、配灯画像Ｐを表示させずに作成されてもよい。
【００４５】
象徴画像には、配灯画像Ｐ上において、同じ照明制御が実行されるＬＥＤ照明装置２のエリアを表し、そのエリア内の複数のＬＥＤ照明装置２と対応付けられることになる画像（図７参照）が含まれる。以下では、この画像を「エリア画像」と呼ぶ。更に、象徴画像には、１つのＬＥＤ照明装置２とだけ対応付けられることになる画像（図１２参照）が含まれる。以下では、特に断らない限り、この画像に対して「象徴画像」という用語を用いる。
【００４６】
図５に示す様に、配灯画像Ｐが表示された画面には、配灯画像Ｐに加えて、ボタンＢ１〜Ｂ７及びＥＧ１〜ＥＧ１０が表示される。ボタンＢ１は、ユーザが象徴画像の配置操作を行うための配置操作画面（図９参照）をＰＣモニタに表示させるボタンである。ボタンＢ２は、ユーザがエリア画像の作成操作を行うための作成操作画面（図５参照）をＰＣモニタに表示させるボタンである。ボタンＢ６は、ＰＣモニタに表示されている画面に移る前の画面を再びＰＣモニタに表示させるボタンである。ボタンＢ７は、象徴画像の配置操作やエリア画像の作成操作を完了させるためのボタンである。
【００４７】
作成操作画面（図５参照）において、ボタンＢ３〜Ｂ５は、ユーザがエリア画像を作成する際に選択されるボタンである。ここで、ボタンＢ３は、長方形のエリア画像を作成する際に選択される（図６参照）。具体的には、ユーザは、マウス等の操作により、ボタンＢ３を選択した後、ＰＣモニタに表示された画面において互いに異なる２つの位置を指定する。これにより、その２つの位置を結んだ直線を対角線とする長方形のエリア画像が作成される。ボタンＢ４は、長方形に限定されない様々な形状を持ったエリア画像について、そのエリア画像の外縁のうち直線部分を作成する際に選択される。具体的には、ユーザは、マウス等の操作により、ボタンＢ４を選択した後、ＰＣモニタに表示された画面において複数の位置を指定する。これにより、その複数の位置が指定順に結ばれた線画像が作成される。ボタンＢ５は、エリア画像の外縁のうち円弧状の曲線部分を作成する際に選択される。具体的には、ユーザは、マウス等の操作により、ボタンＢ５を選択した後、ＰＣモニタに表示された画面において１つの位置を指定する。次に、別の位置を指定した後、その位置を、先に指定した位置を中心としてスライドさせる。これにより、先に指定された位置を中心とする円弧状の曲線画像が作成される。
【００４８】
ユーザは、作成操作画面において上述した作成操作を行うことにより、配灯画像Ｐ上にエリア画像を作成することが出来る。図７には、配灯画像Ｐ上に４つのエリア画像Ｐａ（１）〜Ｐａ（４）が作成され、配灯画像Ｐに示された全てのＬＥＤ照明装置２に、４つのエリア画像Ｐａ（１）〜Ｐａ（４）の何れかが対応している場合が示されている。尚、配灯画像Ｐに示されたＬＥＤ照明装置２のうち、照明制御装置１により制御せんとする幾つかのＬＥＤ照明装置２にのみ、エリア画像を対応させてもよい。或いは、照明制御装置１により制御せんとする幾つかのＬＥＤ照明装置２に、エリア画像を対応させ、残りのＬＥＤ照明装置２には、後述する配置操作により象徴画像を対応させてもよい。
【００４９】
エリア画像の作成操作は、上述した操作に限られるものではない。例えば、ＰＣモニタに様々な形状を持った図形が表示され、ユーザが、マウス等の操作により、ＰＣモニタに表示されている複数の図形から幾つかの図形を選択すると共に、選択した図形を組み合わせて１つのエリア画像を作成してもよい。又、エリア画像の作成操作は、ＰＣに限らず、照明制御装置１にて行われてもよい。
【００５０】
図５に示された画面において、ユーザによるマウス等の操作によりボタンＢ１が選択された場合、象徴画像の配置操作を行うための画面が表示される（図９参照）。このとき、ＰＣモニタには、ボタンＢ３〜Ｂ５に代えてボタンＢ１１〜Ｂ１４が表示される。即ち、ＰＣモニタには、配灯画像Ｐと、ボタンＢ１、Ｂ２、Ｂ１１〜Ｂ１４、Ｂ６、及びＢ７とが表示される。
【００５１】
配置操作画面（図９参照）において、ボタンＢ１１〜Ｂ１３は、ユーザが象徴画像を配置する際に選択される。又、ボタンＢ１４は、配置された象徴画像をユーザが消去する際に選択される。
【００５２】
ボタンＢ１３は、同じ種類の複数の象徴画像をマトリックス状に配置する際に選択される。具体的には、ユーザによるマウス等の操作によりボタンＢ１３が選択されると、ＰＣモニタには、ボタンＢ１１〜Ｂ１４に代えてボタンＢ３〜Ｂ５が表示される（図１０参照）。そして、ユーザは、マウス等の操作により、ボタンＢ３を選択した後、ＰＣモニタに表示された画面において互いに異なる２つの位置を指定する。これにより、その２つの位置を結んだ直線を対角線とする長方形の領域Ｒが指定される。２つの位置の指定が完了すると、ＰＣモニタには、象徴画像の種類を選択するための選択画面が表示される（図１０参照）。そして、ユーザは、マウス等の操作により、選択画面において象徴画像の種類を選択する。象徴画像の種類の選択が完了すると、ＰＣモニタには、象徴画像の配置数（行数及び列数）を入力するための入力画面が表示される（図１１参照）。そして、ユーザは、マウスやキーボード等の操作により、入力画面において数値を入力する。これにより、指定された長方形の領域上に、入力された数の象徴画像がマトリックス状に配置される（図１２参照）。
【００５３】
ボタンＢ１１は、象徴画像を１つだけ配置する際に選択される。具体的には、ユーザは、マウス等の操作により、ボタンＢ１１を選択した後、ＰＣモニタに表示された画面において１つの位置を指定する。位置の指定が完了すると、ＰＣモニタには、象徴画像の種類を選択するための選択画面（図１０参照）が表示される。そして、ユーザは、マウス等の操作により、選択画面において象徴画像の種類を選択する。これにより、指定された位置に、選択された種類の象徴画像が配置される。
【００５４】
ボタンＢ１２は、同じ種類の複数の象徴画像を一列に配置する際に選択される。具体的には、ユーザは、マウス等の操作により、ボタンＢ１２を選択した後、ＰＣモニタに表示された画面において２つの位置を指定する。２つの位置の指定が完了すると、ＰＣモニタには、象徴画像の種類を選択するための選択画面（図１０参照）が表示される。そして、ユーザは、マウス等の操作により、選択画面において象徴画像の種類を選択する。象徴画像の種類の選択が完了すると、ＰＣモニタには、象徴画像の配置数を入力するための入力画面（図１１参照）が表示される。そして、ユーザは、マウスやキーボード等の操作により、入力画面において数値を入力する。これにより、指定された２つの位置を結んだ直線上に、入力された数の象徴画像が等間隔で配置される。
【００５５】
ユーザは、配置操作画面において上述した配置操作を行うことにより、配灯画像Ｐ上に象徴画像を配置することが出来る。図１２には、配灯画像Ｐ上に同じ種類の９つの象徴画像Ｐｓを配置した場合が示されている。この様な配置操作を繰り返し実行することにより、配灯画像Ｐに示された全てのＬＥＤ照明装置２に、象徴画像を対応させることが出来る。尚、配灯画像Ｐに示されたＬＥＤ照明装置２のうち、照明制御装置１により制御せんとする幾つかのＬＥＤ照明装置２にのみ、象徴画像を対応させてもよい。或いは、照明制御装置１により制御せんとする幾つかのＬＥＤ照明装置２に、象徴画像を対応させ、残りのＬＥＤ照明装置２には、上述したエリア画像を対応させてもよい。更には、象徴画像は、エリア画像によって表されるエリア内に配置されてもよい。又、象徴画像の配置操作は、ＰＣに限らず、照明制御装置１にて行われてもよい。
【００５６】
ステップＳ２０１において、ユーザによりエリア画像Ｐａ（１）〜Ｐａ（４）が作成された場合、作成されたエリア画像Ｐａ（１）〜Ｐａ（４）はＰＣのハードディスクに記憶される。このとき、エリア画像Ｐａ（１）〜Ｐａ（４）は、各々がボタンＥＧ１〜ＥＧ１０の何れかと１対１対応で関連付けられてハードディスクに記憶されることにより、リスト化されてもよい。エリア画像Ｐａ（１）〜Ｐａ（４）とボタンＥＧ１〜ＥＧ１０との関連付けは、例えば、これらがＰＣモニタに表示されている画面において、マウス等を用いたユーザのドラッグ操作により行われる（図８参照）。
【００５７】
又、ステップＳ２０１において、ユーザにより象徴画像Ｐｓが配置された場合、配置された象徴画像ＰｓはＰＣのハードディスクに記憶される。
【００５８】
ステップＳ２０１の操作が完了すると、ユーザは、ＰＣのハードディスクに記憶されている、配灯画像Ｐ、エリア画像Ｐａ（１）〜Ｐａ（４）、及び象徴画像Ｐｓを、例えばネットワーク３を介して、照明制御装置１に転送する（図４のステップＳ２０２）。ＰＣからの転送が実行されると、照明制御装置１の第１制御部１３は、第１受信部１２を通じて、配灯画像Ｐ、エリア画像Ｐａ（１）〜Ｐａ（４）、及び象徴画像Ｐｓを読み込むと共に、これらの画像を記憶部１６に記憶させる（図４のステップＳ１０１）。
【００５９】
［２−３］グループ登録
図１３は、グループ登録において、照明制御装置１の第１制御部１３が実行する制御及びユーザが行う操作を示したフローチャートである。ここで、グループ登録とは、同じ照明制御が実行されるＬＥＤ照明装置２を１つのグループとして登録することである。そして、グループ登録は、照明制御装置１のタッチパネル１８に表示させたグループ登録ユーザインタフェース（以下、ユーザインタフェースを「ＵＩ」と略す。）を介して実行される。グループ登録ＵＩの説明を行う前に、先ず、ホームＵＩ及びセットアップＵＩについて説明する。
【００６０】
タッチパネル１８には、通常、ホームＵＩが表示されている。図１４（ａ）及び（ｂ）は、タッチパネル１８に表示されるホームＵＩを示した図である。ホームＵＩは、セットアップボタンＢ２１と、グループボタンＢ２２と、シーンボタンＢ２３と、制御状況を表示させる画像領域Ｉａ２１とを有している。ここで、セットアップボタンＢ２１は、画面をセットアップＵＩに切り替える際に選択される。グループボタンＢ２２は、グループ制御機能に基づく制御状況を画像領域Ｉａ２１に表示させる際に選択される（図１４（ａ）参照）。シーンボタンＢ２３は、シーン制御機能に基づく制御状況を画像領域Ｉａ２１に表示させる際に選択される（図１４（ｂ）参照）。図１４（ａ）及び（ｂ）に示される様に、グループボタンＢ２２とシーンボタンＢ２３とは、択一的に選択されるものであり、第１制御部１３は、そのような択一的な選択が実現される様に選択と解除とを切り替える。
【００６１】
ホームＵＩにおいてグループボタンＢ２２が選択されている場合（図１４（ａ））、画像領域Ｉａ２１には、登録されているグループの一覧が表示されると共に、各グループの制御状況が表示される。図１４（ａ）では、制御状況として、各グループの点灯状況、照明制御情報（本実施形態では調光率）、及び制御モードが表示される。具体的には、点灯状況は、点灯時には「ＯＮ」と表示され、消灯時には「ＯＦＦ」と表示される。調光率は、それを棒グラフで表したものと数値とで表示される。制御モードとして、本実施形態では、マニュアルモードと、オートモードと、無効モードとが設定されている。又、画像領域Ｉａ２１には、各グループに対応させてアイコンＩｃ２１が表示されており、それらのアイコンＩｃ２１に、各グループにおいて実行されている制御モードのモード名が表示される。尚、アイコンＩｃ２１の機能については後述する。
【００６２】
ホームＵＩにおいてシーンボタンＢ２３が選択されている場合（図１４（ｂ））、画像領域Ｉａ２１には、登録されているゾーンの一覧が表示されると共に、各ゾーンの制御状況が表示される。図１４（ｂ）では、制御状況として、各ゾーンにおいて実行されている照明シーン及び制御モードが表示される。制御モードとして、本実施形態では、マニュアルモードと、オートモードと、無効モードとが設定されている。又、画像領域Ｉａ２１には、各グループに対応させてアイコンＩｃ２２が表示されており、それらのアイコンＩｃ２２に、各ゾーンにおいて実行されている制御モードのモード名が表示される。尚、アイコンＩｃ２２の機能については後述する。
【００６３】
ホームＵＩ上でのユーザの操作によりセットアップボタンＢ２１が選択されると、タッチパネル１８にセットアップＵＩが表示される。図１５は、タッチパネル１８に表示されるセットアップＵＩを示した図である。セットアップＵＩは、ホームボタンＢ３１と、グループ登録用のアイコンＩｃ３１と、グループスケジュール設定用のアイコンＩｃ３２と、グループ対応付け設定用のアイコンＩｃ３３と、シーン設定用のアイコンＩｃ３４と、シーンスケジュール設定用のアイコンＩｃ３５とを有している。ここで、ホームボタンＢ３１は、画面をホームＵＩに切り替える際に選択される。又、アイコンＩｃ３１〜Ｉｃ３５の各々は、画面を、対応する登録又は設定を行うためのＵＩに切り替えるアイコンである。尚、グループ登録は、グループ制御機能及びシーン制御機能の何れの制御機能を実現する場合にも必要となる。グループスケジュール設定及びグループ対応付け設定は、グループ制御機能を実現する上で必要となり、シーン設定及びシーンスケジュール設定は、シーン制御機能を実現する上で必要となる。
【００６４】
そして、セットアップＵＩ上での操作によってユーザがグループ登録用のアイコンＩｃ３１を選択することにより、タッチパネル１８にグループ登録ＵＩが表示される。タッチパネル１８へのグループ登録ＵＩの表示は、第１制御部１３の制御により実行される。図１６及び図１７は、タッチパネル１８に表示されたグループ登録ＵＩを示した図である。グループ登録ＵＩは、配灯画像Ｐを表示させる画像領域Ｉａ４１と、第１識別情報ＩＤ１を一覧で表示させる画像領域Ｉａ４２とを有している。
【００６５】
第１制御部１３は、タッチパネル１８にグループ登録ＵＩを表示させる際、記憶部１６から配灯画像Ｐを読み出すと共に、読み出した配灯画像Ｐを画像領域Ｉａ４１に表示させる（図１３のステップＳ１１）。又、第１制御部１３は、記憶部１６からエリア画像Ｐａ（１）〜Ｐａ（４）及び象徴画像Ｐｓの少なくとも何れか一方を読み出すと共に、読み出した画像を配灯画像Ｐに重ねて画像領域Ｉａ４１に表示させる。図１６は、エリア画像及び象徴画像のうち、エリア画像Ｐａ（１）〜Ｐａ（４）のみが画像領域Ｉａ４１に表示されたグループ登録ＵＩを示した図である。又、図１７は、エリア画像Ｐａ（１）〜Ｐａ（４）及び象徴画像Ｐｓの何れもが画像領域Ｉａ４１に表示されたグループ登録ＵＩを示した図である。尚、ステップＳ１１では、第１制御部１３は、画像領域Ｉａ４１に、配灯画像Ｐは表示させずに、エリア画像Ｐａ（１）〜Ｐａ（４）及び象徴画像Ｐｓの少なくとも何れか一方のみを表示させてもよい。又、象徴画像が、少なくとも１つの第１識別情報ＩＤ１が関連付けられる箱の様なものである場合、その象徴画像のみが画像領域Ｉａ４１に表示されてもよい。
【００６６】
更に、第１制御部１３は、第１識別情報ＩＤ１を含んだ情報信号を第１受信部１２に受信させることにより、ネットワーク３を通じて、複数のＬＥＤ照明装置２から第１識別情報ＩＤ１を取得する（図１３のステップＳ１２）。そして、第１制御部１３は、取得した第１識別情報ＩＤ１を画像領域Ｉａ４２に表示させる（図１６及び図１７参照）。このとき、第１制御部１３は、取得した第１識別情報ＩＤ１の各々について、その第１識別情報ＩＤ１を持ったＬＥＤ照明装置２を点灯させるための点灯信号を発生させる第１スイッチＳ１を生成する。そして、第１制御部１３は、生成した第１スイッチＳ１を、第１識別情報ＩＤ１に対応させて画像領域Ｉａ４２に表示させる。本実施形態では、第１スイッチＳ１は、第１識別情報ＩＤ１に重ねて表示されている。尚、第１スイッチＳ１は、点灯信号及び消灯信号を選択的に発生させるものであってもよい。又、第１スイッチＳ１は、記憶部１６に記憶されていてもよく、第１制御部１３は、取得した第１識別情報ＩＤ１の各々に対応する第１スイッチＳ１を記憶部１６から読み出すと共に、読み出した第１スイッチＳ１を画像領域Ｉａ４２に表示させてもよい。
【００６７】
次に、ユーザは、ＬＥＤ照明装置２と、グループ登録ＵＩに表示されたエリア画像Ｐａ（１）〜Ｐａ（４）又は象徴画像Ｐｓとを互いに関連付ける（図１３のステップＳ２１）。具体的には、第１識別情報ＩＤ１及び第１スイッチＳ１が表示された画面において、ユーザは、グループ登録ＵＩ上で第１スイッチＳ１を操作することにより、ＬＥＤ照明装置２を点灯させる。この様にして、ユーザは、操作した第１スイッチＳ１に対応するＬＥＤ照明装置２の実際の位置を確認する。その後、ユーザは、操作した第１スイッチＳ１に重なって表示されている第１識別情報ＩＤ１を、確認した実際の位置に基づいて、配灯画像Ｐ上の対応する位置に表示されているエリア画像Ｐａ（１）〜Ｐａ（４）又は象徴画像Ｐｓと重なる位置にドラッグする（図１６及び図１７参照）。
【００６８】
上述したユーザのドラッグ操作が実行されたとき、第１制御部１３は、ドラッグされた第１識別情報ＩＤ１を、その第１識別情報ＩＤ１が重ねられたエリア画像又は象徴画像に関連付けて記憶部１６に記憶させる（図１３のステップＳ１３）。エリア画像Ｐａ（１）に、これに対応する全ての第１識別情報ＩＤ１を関連付ける場合、ユーザのドラッグ操作とステップＳ１３での第１制御部１３の制御とが繰り返し実行される。これにより、エリア画像Ｐａ（１）で表されるエリア内の全てのＬＥＤ照明装置２の第１識別情報ＩＤ１が、エリア画像Ｐａ（１）に関連付けて記憶部１６に記憶される。
【００６９】
尚、図１７に示す様に、エリア画像Ｐａ（１）によって表されるエリア内に象徴画像Ｐｓが配置されている場合において、第１識別情報ＩＤ１が、象徴画像Ｐｓと重なる位置にドラッグされたとき、第１制御部１３は、ドラッグされた第１識別情報ＩＤ１を、象徴画像Ｐｓにのみ関連付けて記憶部１６に記憶させてもよいし、エリア画像Ｐａ（１）及び象徴画像Ｐｓの何れとも関連付けて記憶部１６に記憶させてもよい。
【００７０】
この様なＬＥＤ照明装置２の位置確認に基づくユーザのドラッグ操作（図１３のステップＳ２１）と、第１制御部１３の制御（図１３のステップＳ１３）とによれば、第１識別情報ＩＤ１が、エリア画像Ｐａ（１）〜Ｐａ（４）又は象徴画像Ｐｓに対して正確に関連付けられる。
【００７１】
特に、エリア画像Ｐａ（１）〜Ｐａ（４）の各々に第１識別情報ＩＤ１が関連付けられることにより、同じ照明制御が実行されるＬＥＤ照明装置２どうしがグループ化されることになる。即ち、エリア画像Ｐａ（１）〜Ｐａ（４）にそれぞれ対応付けられたＬＥＤ照明装置２のグループＧ（１）〜Ｇ（４）が作成される。
【００７２】
グループの作成に関して、より具体的には、グループ名登録用のＵＩにおいて、グループ名の入力、及びそのグループ名へのエリア画像の対応付けといったユーザ操作を経て、そのエリア画像に対応付けられているＬＥＤ照明装置２が、上記ＵＩにて入力されたグループ名で表記される１つのグループとして登録されることになる。
【００７３】
［２−４］グループ制御機能
グループ制御機能は、複数のＬＥＤ照明装置２のうち同じ照明制御が実行されるＬＥＤ照明装置２どうしをグループ化することにより作成された複数のグループをそれぞれ独立に制御する機能である。そして、グループ制御機能は、以下に説明するグループスケジュール設定とグループ設定とによって実現される。
【００７４】
＜グループスケジュール設定＞
グループスケジュール設定では、グループの各々に関連付けることが可能な照明タイムテーブルが作成される。グループ登録の実行後、グループスケジュール設定を実行する際、ユーザは先ず、照明制御装置１のタッチパネル１８にグループスケジュール設定ＵＩを表示させる。具体的には、セットアップＵＩ（図１５参照）上での操作によってユーザがグループスケジュール設定用のアイコンＩｃ３２を選択することにより、タッチパネル１８にグループスケジュール設定ＵＩを表示させる。タッチパネル１８へのグループスケジュール設定ＵＩの表示は、第１制御部１３の制御により実行される。
【００７５】
図１８は、タッチパネル１８に表示されるグループスケジュール設定ＵＩを示した図である。グループスケジュール設定ＵＩは、３つの画像領域Ｉａ５１〜Ｉａ５３を有している。ここで、画像領域Ｉａ５１は、照明タイムテーブル名（以下、単に「タイムテーブル名」と呼ぶ。）を入力するためのボックスＩｂ５１１が表示された領域である。画像領域Ｉａ５２は、照明タイムテーブルに従ってグループに実行させんとする照明制御情報を、開始時刻の早い順に一覧で表示させる領域である。画像領域Ｉａ５３は、グループスケジュール設定ＵＩ上で作成された照明タイムテーブルを視認させるためのタイムテーブル画像Ｉｔ１を表示させる領域である。
【００７６】
尚、本実施形態において、画像領域Ｉａ５２への照明制御情報の表示は、第１制御部１３が、調光率及び開始時刻が記されたアイコンを画像領域Ｉａ５２に表示させることにより、行われる。一方、照明制御情報の選択は、ユーザが、対応するアイコンをグループスケジュール設定ＵＩ上で選択することにより行われる。
【００７７】
タイムテーブル画像Ｉｔ１は、画像領域Ｉａ５２に表示されている照明制御情報と、照明制御情報ごとの実行期間を視認させる画像である。本実施形態において、タイムテーブル画像Ｉｔ１は、画像領域Ｉａ５１に表示されている照明制御情報のアイコンにそれぞれ対応付けられた複数の矩形画像から構成されている。より具体的には、照明制御情報は調光率であり、タイムテーブル画像Ｉｔ１において、各矩形画像の高さにより実行予定の調光率が表され、その矩形画像の幅により実行期間が表されている。画像領域Ｉａ５３へのタイムテーブル画像Ｉｔ１の表示は、第１制御部１３の制御により実行される。具体的には、第１制御部１３は、画像領域Ｉａ５２に表示させる照明制御情報、並びに照明制御情報の各々に対応付けられた開始時刻に基づいて、タイムテーブル画像Ｉｔ１を生成し、これを画像領域Ｉａ５３に表示させる。
【００７８】
本実施形態において、グループスケジュール設定ＵＩは更に、制御追加ボタンＢ５２１、制御編集ボタンＢ５２２、及び制御削除ボタンＢ５２３を有している。制御追加ボタンＢ５２１、制御編集ボタンＢ５２２、及び制御削除ボタンＢ５２３はそれぞれ、画像領域Ｉａ５２に対して、照明制御情報の追加、編集、削除を実行する際に、グループスケジュール設定ＵＩ上でのユーザの操作により選択される。
【００７９】
グループスケジュール設定（照明タイムテーブルの作成）は、グループスケジュール設定ＵＩにおいて次の様に実行される。図１９〜図２２は、グループスケジュール設定の説明に用いられるグループスケジュール設定ＵＩを示した図である。照明タイムテーブルの作成開始時（グループスケジュール設定用のアイコンＩｃ３２がユーザにより選択されたとき）に表示されるグループスケジュール設定ＵＩでは、未だ、ユーザの操作による照明制御情報（調光率）及びその開始時刻の設定はなされていない。そのため、第１制御部１３は、デフォルト表示の例として、画像領域Ｉａ５２に照明制御情報のアイコンを全く表示させないか、或いは、編集することを前提として設けられた１つ又は幾つかのアイコンを表示させる（図１８参照）。更に、第１制御部１３は、制御追加ボタンＢ５２１を選択可能な状態で表示させる。
【００８０】
図１８では、編集することを前提として、仮の調光率及び開始時刻が記された４つのアイコンが画像領域Ｉａ５２に表示されている。尚、図１８では、仮の調光率が全て５０％と設定され、仮の開始時刻がそれぞれ、０：００、６：００、１２：００、及び１８：００と設定されている。又、仮の調光率及び開始時刻に基づいて生成されたスケジュール画像Ｉｓ２が、画像領域Ｉａ５３に表示されている。
【００８１】
シーンスケジュール設定ＵＩにおいて、ユーザは先ず、タッチパネル１８の操作により、追加する照明タイムテーブルのタイムテーブル名をボックスＩｂ５１１に入力する（図１９参照）。図１９では、タイムテーブル名として「タイムテーブルＣｔ（１）」がボックスＩｂ５１１に入力された場合が示されている。
【００８２】
画像領域Ｉａ５２に少なくとも１つの照明制御情報のアイコンが表示された状態（図１８参照）で、画像領域Ｉａ５２上のアイコンの何れか１つをユーザが選択した場合、第１制御部１３は、グループスケジュール設定ＵＩにおいて、制御編集ボタンＢ５２２及び制御削除ボタンＢ５２３を選択可能な状態へ切り替える（図２０（ａ）参照）。図２０（ａ）では、開始時刻が１８：００である仮の照明制御情報（調光率５０％）が選択された場合が示されている。この状態で、ユーザが制御削除ボタンＢ５２３を選択した場合、第１制御部１３は、選択されている照明制御情報のアイコンを画像領域Ｉａ５２から削除すると共に、その削除に伴う変更を反映させたタイムテーブル画像Ｉｔ１を生成して画像領域Ｉａ５３に表示させる（図２０（ｂ）参照）。
【００８３】
一方、照明制御情報が選択された状態（図２０（ａ）参照）で、ユーザが制御編集ボタンＢ５２２を選択した場合、第１制御部１３は、照明制御情報を編集するためのウィンドウＷ５４を、タッチパネル１８にポップアップ表示させる（図２１（ａ）参照）。ウィンドウＷ５４は、照明制御情報を設定するための設定画像Ｉｓ５４１と、開始時刻を設定するための時刻設定画像Ｉｅ５４２とを有している。本実施形態において、照明制御情報は調光率であり、設定画像Ｉｓ５４１には、タッチパネル１８でのユーザの操作により調光率を設定又は変更することを可能ならしめる設定操作画像Ｉｅ５４１と、変更後の調光率を数値で表示させるボックスＩｂ５４０とが含まれている。具体的には、設定操作画像Ｉｅ５４１は、スライド操作が可能なツマミを有している。そして、第１制御部１３は、ボックスＩｂ５４０内の数値を、設定操作画像Ｉｅ５４１のツマミの位置に連動させて変更させる。
【００８４】
時刻設定画像Ｉｅ５４２は、設定画像Ｉｓ５４１で設定された照明制御情報（調光率）に基づく制御の開始時刻を、タッチパネル１８でのユーザの操作により設定することを可能ならしめる画像である。具体的には、時刻設定画像Ｉｅ５４２は、設定される開始時刻を時と分で表すべく、時の部分の数字を表示するボックスＩｂ５４１と、分の部分の数字を表示するボックスＩｂ５４２とを有している。時刻設定画像Ｉｅ５４２は更に、ボックスＩｂ５４１の上下にそれぞれ設けられた送りボタンＢ５４１及び戻しボタンＢ５４２と、ボックスＩｂ５４２の上下にそれぞれ設けられた送りボタンＢ５４３及び戻しボタンＢ５４４とを有している。送りボタンＢ５４１及びＢ５４３はそれぞれ、ボックスＩｂ５４１及びＩｂ５４２に表示されている数字を時間が進行する方向へ送る際に、タッチパネル１８でのユーザの操作により押される。戻しボタンＢ５４２及びＢ５４４はそれぞれ、ボックスＩｂ５４１及びＩｂ５４２に表示されている数字を時間が進行する方向とは逆の方向へ戻す際に、タッチパネル１８でのユーザの操作により押される。
【００８５】
ウィンドウＷ５４において、ユーザは、設定操作画像Ｉｅ５４１のツマミをスライドさせることにより、ボックスＩｂ５４１に表示される数値を見ながら、照明制御情報として適用せんとする調光率を設定する（図２１（ｂ）参照）。その後、ユーザは、タッチパネル１８上で時刻設定画像Ｉｅ５４２を操作することにより、設定画像Ｉｓ５４１で設定した調光率での制御の開始時刻を設定する。図２１（ｂ）では、調光率が７０％と設定されると共にその開始時刻が１６：００と設定された場合が示されている。そして、ユーザは、ウィンドウＷ５４内のＯＫボタンを選択することにより、設定した調光率及びその開始時刻を確定させる。
【００８６】
ウィンドウＷ５４にて照明シーン及びその開始時刻が確定されると、第１制御部１３は、ウィンドウＷ５４を閉じると共に、選択されている照明制御情報のアイコンに記された調光率及び開始時刻を、確定された新たな調光率及び開始時刻に置き換える（図２２参照）。更に、第１制御部１３は、確定された調光率及び開始時刻を、変更前の情報に置き換えて記憶部１６に記憶させると共に、調光率及び開始時刻の変更を反映させたタイムテーブル画像Ｉｔ１を生成して画像領域Ｉａ５３に表示させる（図２２参照）。
【００８７】
グループスケジュール設定ＵＩにおいて、ユーザが制御追加ボタンＢ５２１を選択した場合、第１制御部１３は、照明制御情報を追加するための、ウィンドウＷ５４と同様のウィンドウを、タッチパネル１８にポップアップ表示させる（図２１（ａ）参照）。その後、ユーザは、新たな照明制御情報として調光率を設定すると共に、その調光率での制御の開始時刻を設定する。そして、ユーザは、ウィンドウＷ５４内のＯＫボタンを選択することにより、設定した調光率及びその開始時刻を確定させる。これらが確定されると、第１制御部１３は、ウィンドウＷ５４を閉じると共に、確定された調光率及び開始時刻が記された新たなアイコンを画像領域Ｉａ５２に追加する。更に、第１制御部１３は、確定された調光率及び開始時刻を互いに関連付けて記憶部１６に記憶させると共に、照明制御情報の追加を反映させたタイムテーブル画像Ｉｔ１を生成して画像領域Ｉａ５３に表示させる。
【００８８】
この様なグループスケジュール設定ＵＩ上でのユーザの操作に応じて、第１制御部１３は、グループの各々に関連付けることが可能な照明タイムテーブルを作成する。そして、ユーザがグループスケジュール設定ＵＩ内のＯＫボタンを選択することにより、作成された照明タイムテーブルが確定される。照明タイムテーブルが確定されると、第１制御部１３は、グループスケジュール設定ＵＩを閉じると共に、確定された照明タイムテーブルを記憶部１６に記憶させる。
【００８９】
＜グループ対応付け設定＞
グループ対応付け設定では、グループスケジュール設定により作成された照明タイムテーブルと、グループ登録により設定されたグループとが互いに対応付けられる。グループスケジュール設定の実行後、グループ対応付け設定を実行する際、ユーザは先ず、照明制御装置１のタッチパネル１８にグループ対応付け設定ＵＩを表示させる。具体的には、セットアップＵＩ（図１５参照）上での操作によってユーザがグループ対応付け設定用のアイコンＩｃ３３を選択することにより、タッチパネル１８にグループ対応付け設定ＵＩを表示させる。タッチパネル１８へのグループ対応付け設定ＵＩの表示は、第１制御部１３の制御により実行される。
【００９０】
図２３は、タッチパネル１８に表示されるグループ対応付け設定ＵＩを示した図である。グループ対応付け設定ＵＩは、グループ選択画像Ｉｅ６１と、タイムテーブル選択画像Ｉｅ６２とを有している。ここで、グループ選択画像Ｉｅ６１及びタイムテーブル選択画像Ｉｅ６２は、対応付けの対象となるグループ及び照明タイムテーブルをそれぞれ選択する際に操作される。
【００９１】
具体的には、グループ選択画像Ｉｅ６１は、登録されているグループの何れか１つを、タッチパネル１８でのユーザの操作により選択することを可能ならしめる画像である。より具体的には、グループ選択画像Ｉｅ６１は、選択可能なグループをプルダウンリストで表示させるためのプルダウンボタンを有している。プルダウンボタンには、プルダウンリストから選択されたグループのグループ名が表示される。グループ対応付け設定ＵＩ上でのユーザの操作に伴うグループ選択画像Ｉｅ６１の動作は、第１制御部１３により制御される。
【００９２】
タイムテーブル選択画像Ｉｅ６２は、登録されている照明タイムテーブルの何れか１つを、タッチパネル１８でのユーザの操作により選択することを可能ならしめる画像である。より具体的には、タイムテーブル選択画像Ｉｅ６２は、選択可能な照明タイムテーブルをプルダウンリストで表示させるためのプルダウンボタンを有している。プルダウンボタンには、プルダウンリストから選択された照明タイムテーブルのタイムテーブル名が表示される。グループ対応付け設定ＵＩ上でのユーザの操作に伴うタイムテーブル選択画像Ｉｅ６２の動作は、第１制御部１３により制御される。
【００９３】
グループ対応付け設定ＵＩにおいて、ユーザは先ず、グループ選択画像Ｉｅ６１を操作することにより、対応付けの対象とするグループを選択する（図２４参照）。次に、ユーザは、タイムテーブル選択画像Ｉｅ６２を操作することにより、対応付けの対象とする照明タイムテーブルを選択する（図２４参照）。尚、ユーザは、照明タイムテーブルから先に選択してもよい。そして、ユーザは、グループ対応付け設定ＵＩ内のＯＫボタンを選択することにより、選択したグループ及び照明タイムテーブルを確定させる。
【００９４】
グループ対応付け設定ＵＩにおいて、対応付けの対象となるグループ及び照明タイムテーブルが確定されると、第１制御部１３は、グループ対応付け設定ＵＩを閉じると共に、確定されたグループ及び照明タイムテーブルを互いに対応付けて記憶部１６に記憶させる。
【００９５】
＜グループ制御の実行＞
上述したグループスケジュール設定及びグループ対応付け設定が実行されることにより、グループ制御を行う上で必要な情報が、登録されているグループの各々について構築される。そして、それらの情報に基づいて、第１制御部１３は、各グループに含まれるＬＥＤ照明装置２を、他のグループとは独立に制御する。具体的には、第１制御部１３は、記憶部１６に記憶されている上記情報に基づいて、制御信号を生成する。その後、第１制御部１３は、生成した制御信号を、第１送信部１１を通じて、対応するグループに含まれているＬＥＤ照明装置２に送信する。尚、制御信号を生成する際に用いられる情報として、センサ４の検出結果が含まれてもよい。
【００９６】
［２−５］シーン制御機能
シーン制御機能は、グループの全て又は幾つかを更にグループ化することにより作成されたゾーンにおいて、そのゾーンに含まれる全てのＬＥＤ照明装置２をグループごとに制御することにより、照明シーンを実現する機能である。そして、シーン制御機能は、以下に説明するシーン設定とシーンスケジュール設定とによって実現される。
【００９７】
＜シーン設定＞
シーン設定では、ゾーン（グループを更にグループ化したもの）に含まれる全てのＬＥＤ照明装置２で実現される照明シーンを構築するべく、ゾーンが設定され、且つそのゾーンに含まれるグループに照明制御情報がそれぞれ対応付けられることにより、実現せんとする照明シーンに関するシーン情報が作成される。尚、照明制御情報には、調光率や、調色比、明るさなどの情報が含まれている。
【００９８】
グループ登録の実行後、シーン設定を実行する際、ユーザは先ず、照明制御装置１のタッチパネル１８にシーン設定ＵＩを表示させる。具体的には、セットアップＵＩ（図１５参照）上での操作によってユーザがシーン設定用のアイコンＩｃ３４を選択することにより、タッチパネル１８にシーン設定ＵＩを表示させる。タッチパネル１８へのシーン設定ＵＩの表示は、第１制御部１３の制御により実行される。
【００９９】
図２５は、タッチパネル１８に表示されるシーン設定ＵＩを示した図である。シーン設定ＵＩは、３つの画像領域Ｉａ７１〜Ｉａ７３を有している。ここで、画像領域Ｉａ７１は、ゾーンを一覧で表示させる領域である。画像領域Ｉａ７２は、画像領域Ｉａ７１に表示されたゾーンの何れか１つが選択されたとき、選択されたゾーンに設定されている照明シーンを一覧で表示させる領域である。画像領域Ｉａ７３は、画像領域Ｉａ７２に表示された照明シーンの何れか１つが選択されたとき、選択された照明シーンを構成しているグループを一覧で表示させると共に、表示されたグループの各々に対応させて照明制御情報を表示させる領域である。本実施形態において、照明制御情報は調光率であり、その調光率を数値で表示させるボックスＩｂ７３１が画像領域Ｉａ７３に表示されている。
【０１００】
尚、本実施形態において、画像領域Ｉａ７１〜Ｉａ７３へのゾーン、照明シーン、及びグループの表示は、第１制御部１３が、それらに対応するゾーン名、照明シーン名（以下、単に「シーン名」と呼ぶ。）、及びグループ名が記されたアイコンを、画像領域Ｉａ７１〜Ｉａ７３にそれぞれ表示させることにより、行われる。又、第１制御部１３は、ボックスＩｂ７３１を、対応するグループのアイコン上に表示させる。一方、ゾーン、照明シーン、及びグループの選択は、ユーザが、対応するアイコンをシーン設定ＵＩ上で選択することにより行われる。
【０１０１】
図２５のシーン設定ＵＩ上では、ゾーン名として「ゾーンＺ（Ｋｚ）」、シーン名として「シーンＳ（Ｋｚ−Ｋｓ）」、グループ名として「グループＧ（Ｋｇ）」がそれぞれ用いられている。ここで、符号Ｋｚ、Ｋｓ、及びＫｇは、ゾーン、照明シーン、及びグループをそれぞれ識別するためのものであり、図２５では番号により表されている。又、照明シーンとゾーンとの対応関係が明確となる様に、シーン名には、符号Ｋｓの前に「Ｋｚ−」が付されている。尚、ゾーン名、シーン名、及びグループ名はそれぞれ、ユーザにより任意に定められる。
【０１０２】
本実施形態において、シーン設定ＵＩは更に、ゾーン追加ボタンＢ７１１、ゾーン編集ボタンＢ７１２、ゾーン削除ボタンＢ７１３、シーン追加ボタンＢ７２１、シーン編集ボタンＢ７２２、シーン削除ボタンＢ７２３、グループ追加ボタンＢ７３１、グループ編集ボタンＢ７３２、及びグループ削除ボタンＢ７３３を有している。ゾーン追加ボタンＢ７１１、ゾーン編集ボタンＢ７１２、及びゾーン削除ボタンＢ７１３はそれぞれ、画像領域Ｉａ７１に対して、ゾーンの追加、編集、削除を実行する際に、シーン設定ＵＩ上でのユーザの操作により選択される。シーン追加ボタンＢ７２１、シーン編集ボタンＢ７２２、及びシーン削除ボタンＢ７２３はそれぞれ、画像領域Ｉａ７２に対して、シーンの追加、編集、削除を実行する際に、シーン設定ＵＩ上でのユーザの操作により選択される。グループ追加ボタンＢ７３１、グループ編集ボタンＢ７３２、及びグループ削除ボタンＢ７３３はそれぞれ、画像領域Ｉａ７３に対して、グループの追加、編集、削除を実行する際に、シーン設定ＵＩ上でのユーザの操作により選択される。
【０１０３】
更に、シーン設定ＵＩは、変更操作画像Ｉｅ７３１を有している。変更操作画像Ｉｅ７３１は、画像領域Ｉａ７３に表示されたグループの各々に対応させて同じ画像領域Ｉａ７３内に表示され、対応するグループの照明制御情報を、シーン設定ＵＩ上でのユーザの操作により変更することを可能ならしめる画像である。本実施形態において、照明制御情報は調光率であり、変更操作画像Ｉｅ７３１は、対応するグループの調光率を変更させるためのスライド操作が可能なツマミを有している。そして、第１制御部１３は、ボックスＩｂ７３１内の数値を、変更操作画像Ｉｅ７３１のツマミの位置に連動させて変更させる。
【０１０４】
シーン設定は、シーン設定ＵＩにおいて次の様に実行される。図２６〜図３５は、シーン設定の説明に用いられるシーン設定ＵＩを示した図である。先ず、第１制御部１３は、タッチパネル１８にシーン設定ＵＩを表示させるとき、ゾーン追加ボタンＢ７１１を選択可能な状態で表示させる。更に、第１制御部１３は、ゾーンを画像領域Ｉａ７１に一覧で表示させる（図２６参照）。図２６では、画像領域Ｉａ７１にゾーンが１つだけ表示された場合が示されている。尚、シーン設定ＵＩが表示された段階で、未だユーザの操作によるゾーンの設定がなされていなかった場合、画像領域Ｉａ７１には、デフォルト表示の例として、ゾーンのアイコンが全く表示されないか、或いは、編集することを前提として設けられた１つ又は幾つかのアイコンが表示される。
【０１０５】
ゾーン追加ボタンＢ７１１の選択が可能な状態で、ユーザがゾーン追加ボタンＢ７１１を選択した場合、第１制御部１３は、ゾーン名を入力するためのボックスＩｂ７４１を持ったウィンドウＷ７４を、タッチパネル１８にポップアップ表示させる（図２７（ａ）参照）。次に、ユーザは、タッチパネル１８の操作により、追加するゾーンのゾーン名をボックスＩｂ７４１に入力する（図２７（ｂ）参照）。図２７（ｂ）では、ゾーン名として「ゾーンＺ（２）」がボックスＩｂ７４１に入力された場合が示されている。そして、ユーザは、ウィンドウＷ７４内のＯＫボタンを選択することにより、入力したゾーン名を確定させる。ゾーン名が確定されると、第１制御部１３は、ウィンドウＷ７４を閉じると共に、確定されたゾーン名が記された新たなアイコン（即ち、新たなゾーン）を画像領域Ｉａ７１に追加する（図２８参照）。そして、第１制御部１３は、変更されたゾーンの一覧を記憶部１６に記憶させる。
【０１０６】
画像領域Ｉａ７１に少なくとも１つのゾーンが表示された状態で、ユーザがゾーンの何れか１つを選択した場合（図２９参照）、第１制御部１３は、シーン設定ＵＩにおいて、ゾーン編集ボタンＢ７１２及びゾーン削除ボタンＢ７１３、並びにシーン追加ボタンＢ７２１を選択可能な状態へ切り替える。更に、第１制御部１３は、選択されたゾーンに設定されている照明シーンを画像領域Ｉａ７２に一覧で表示させる。図２９では、ゾーンＺ（１）が選択され、そのゾーンＺ（１）に設定されている５つの照明シーンＳ（１−１）〜Ｓ（１−５）が画像領域Ｉａ７２に表示された場合が示されている。尚、選択されたゾーンが、未だユーザの操作による照明シーンの設定がなされていないものであった場合、画像領域Ｉａ７２には、デフォルト表示の例として、照明シーンのアイコンが全く表示されないか（図３０参照）、或いは、編集することを前提として設けられた１つ又は幾つかのアイコンが表示される。
【０１０７】
ゾーンが選択された状態で、ユーザがゾーン削除ボタンＢ７１３を選択した場合、第１制御部１３は、選択されているゾーンのアイコンを画像領域Ｉａ７１から削除する。一方、ユーザがゾーン編集ボタンＢ７１２を選択した場合、第１制御部１３は、ゾーン名を変更するためのボックスを持った、ウィンドウＷ７４と同様のウィンドウを、タッチパネル１８にホップアップ表示させる（図２７（ａ）参照）。その後、ユーザは、変更するゾーンのゾーン名をボックスに入力する。そして、ユーザは、ウィンドウ内のＯＫボタンを選択することにより、入力したゾーン名を確定させる。ゾーン名が確定されると、第１制御部１３は、上記ウィンドウを閉じると共に、選択されているゾーンのアイコンに記されたゾーン名を、確定された新たなゾーン名に書き換える。
【０１０８】
一方、ゾーンが選択された状態（図３０参照）で、ユーザがシーン追加ボタンＢ７２１を選択した場合、第１制御部１３は、シーン名を入力するためのボックスＩｂ７５１を持ったウィンドウＷ７５を、タッチパネル１８にホップアップ表示させる（図３１（ａ）参照）。その後、ユーザは、追加する照明シーンのシーン名をボックスＩｂ７５１に入力する（図３１（ｂ）参照）。図３１（ｂ）では、シーン名として「シーンＳ（２−１）」がボックスＩｂ７５１に入力された場合が示されている。そして、ユーザは、ウィンドウＷ７５内のＯＫボタンを選択することにより、入力したシーン名を確定させる。
【０１０９】
シーン名が確定されると、第１制御部１３は、ウィンドウＷ７５を閉じると共に、確定されたシーン名が記された新たなアイコン（即ち、新たな照明シーン）を画像領域Ｉａ７２に追加する（図３２参照）。そして、第１制御部１３は、変更された照明シーンの一覧を、対応するゾーンに関連付けて記憶部１６に記憶させる。ここで、照明シーンの一覧に対応するゾーンとは、その一覧を画像領域Ｉａ７２に表示させるときに選択されているゾーンのことである。
【０１１０】
ゾーンが選択され、且つ、画像領域Ｉａ７２に少なくとも１つの照明シーンが表示された状態で、ユーザが照明シーンの何れか１つを選択した場合（図２５参照）、第１制御部１３は、シーン設定ＵＩにおいて、シーン編集ボタンＢ７２２及びシーン削除ボタンＢ７２３、並びにグループ追加ボタンＢ７３１を選択可能な状態へ切り替える。更に、第１制御部１３は、画像領域Ｉａ７３に、選択された照明シーンを構成しているグループを一覧で表示させると共に、表示されたグループの各々に対応させて変更操作画像Ｉｅ７３１及びボックスＩｂ７３１を表示させる。図２５では、ゾーンＺ（１）が選択されると共に照明シーンＳ（１−２）が選択され、その照明シーンＳ（１−２）に設定されている２つのグループＧ（１）及びＧ（２）が表示された場合が示されている。尚、選択された照明シーンが、未だユーザの操作によるグループの設定がなされていないものであった場合、画像領域Ｉａ７３には、デフォルト表示の例として、グループのアイコンが全く表示されないか（図３３参照）、或いは、編集することを前提として設けられた１つ又は幾つかのアイコンが表示される。
【０１１１】
照明シーンが選択された状態で、ユーザがシーン削除ボタンＢ７２３を選択した場合、第１制御部１３は、選択されている照明シーンのアイコンを画像領域Ｉａ７２から削除する。一方、ユーザがシーン編集ボタンＢ７２２を選択した場合、第１制御部１３は、シーン名を変更するためのボックスを持った、ウィンドウＷ７５と同様のウィンドウを、タッチパネル１８にホップアップ表示させる（図３１（ａ）参照）。その後、ユーザは、変更する照明シーンのシーン名をボックスに入力する。そして、ユーザは、ウィンドウ内のＯＫボタンを選択することにより、入力したシーン名を確定させる。シーン名が確定されると、第１制御部１３は、上記ウィンドウを閉じると共に、選択されている照明シーンのアイコンに記されたシーン名を、確定された新たなシーン名に書き換える。
【０１１２】
一方、照明シーンが選択された状態（図３３参照）で、ユーザがグループ追加ボタンＢ７３１を選択した場合、第１制御部１３は、追加するグループを選択するためのウィンドウＷ７６を、タッチパネル１８にポップアップ表示させる（図３４（ａ）参照）。ウィンドウＷ７６は、選択可能なグループを一覧で表示させる画像領域Ｉａ７６１と、照明制御情報を設定するための設定画像Ｉｓ７６１とを有している。本実施形態において、照明制御情報は調光率であり、設定画像Ｉｓ７６１には、タッチパネル１８でのユーザの操作により調光率を設定又は変更することを可能ならしめる設定操作画像Ｉｅ７６１と、変更後の調光率を数値で表示させるボックスＩｂ７６１とが含まれている。具体的には、設定操作画像Ｉｅ７６１は、スライド操作が可能なツマミを有している。そして、第１制御部１３は、ボックスＩｂ７６１内の数値を、設定操作画像Ｉｅ７６１のツマミの位置に連動させて変更させる。
【０１１３】
その後、ユーザは、タッチパネルの操作により、ウィンドウＷ７６の画像領域Ｉａ７６１に表示されたグループの何れか１つを選択する。その状態で、ユーザは更に、設定操作画像Ｉｅ７６１のツマミをスライドさせることにより、ボックスＩｂ７６１に表示される数値を見ながら、選択中のグループについて適用せんとする調光率を設定する（図３４（ｂ）参照）。図３４（ｂ）では、グループＧ（３）が選択されると共に調光率が７０％と設定された場合が示されている。そして、ユーザは、ウィンドウＷ７６内のＯＫボタンを選択することにより、選択したグループ及び設定した調光率を確定させる。
【０１１４】
ウィンドウＷ７６にてグループ及び調光率が確定されると、第１制御部１３は、ウィンドウＷ７６を閉じると共に、確定されたグループのグループ名が記された新たなアイコン（即ち、新たなグループ）を画像領域Ｉａ７３に追加する。更に、第１制御部１３は、追加したグループに対応させて、確定された調光率の数値が表示されたボックスＩｂ７３１と、その数値に応じてツマミの位置が変更された変更操作画像Ｉｅ７３１とを、対応するアイコン上に新たに表示させる（図３５参照）。そして、第１制御部１３は、変更されたグループの一覧を、それらに対応する照明制御情報（本実施形態では調光率）と共に、対応する照明シーンに関連付けて記憶部１６に記憶させる。ここで、グループの一覧に対応する照明シーンとは、その一覧を画像領域Ｉａ７３に表示させるときに選択されている照明シーンのことである。
【０１１５】
照明シーンが選択され、且つ、画像領域Ｉａ７３に少なくとも１つのグループが表示された状態で、ユーザがグループの何れか１つを選択した場合、第１制御部１３は、シーン設定ＵＩにおいて、グループ編集ボタンＢ７３２及びグループ削除ボタンＢ７３３を選択可能な状態へ切り替える。この状態で、ユーザがグループ削除ボタンＢ７３３を選択した場合、第１制御部１３は、選択されているグループのアイコンを画像領域Ｉａ７３から削除する。一方、ユーザがグループ編集ボタンＢ７３２を選択した場合、第１制御部１３は、グループを変更するための、ウィンドウＷ７６と同様のウィンドウを、タッチパネル１８にホップアップ表示させる（図３４（ａ）参照）。その後、ユーザは、新たなグループを選択すると共にそのグループに適用せんとする調光率を設定する。そして、ユーザは、ウィンドウ内のＯＫボタンを選択することにより、選択したグループ及び設定した調光率を確定させる。これらが確定されると、第１制御部１３は、上記ウィンドウを閉じると共に、選択されているグループのアイコンに記されたグループ名及びそのアイコン上のボックスＩｂ７３１に表示された調光率を、確定された新たなグループのグループ名及び調光率に置き換える。
【０１１６】
この様なシーン設定ＵＩ上でのユーザの操作に応じて、第１制御部１３は、ゾーンと照明シーンとを互いに関連付けると共に、照明シーンの各々と、その照明シーンを構成するグループ及び照明制御情報（本実施形態では調光率）とを互いに関連付ける。この様な関連付けによれば、ある照明シーンに関連付けられたグループが、１つのゾーンとしてグループ化されることになる。又、ある照明シーンと、その照明シーンを構成するグループ及び照明制御情報との対応関係が、１つのシーン情報となる。
【０１１７】
そして、第１制御部１３は、シーン設定ＵＩ上で設定された対応関係を記憶部１６に記憶させる。具体的には、第１制御部１３は、関連付けられたゾーンと照明シーンとの対応関係を記憶部１６に記憶させる。更に、第１制御部１３は、シーン設定ＵＩ上で関連付けられた、照明シーンの各々と、その照明シーンを構成するグループ及び照明制御情報との対応関係を、シーン情報として、記憶部１６に記憶させる。
【０１１８】
＜シーンスケジュール設定＞
シーンスケジュール設定では、シーン設定によりゾーンに関連付けられた照明シーンの実行スケジュールが作成される。シーン設定の実行後、シーンスケジュール設定を実行する際、ユーザは先ず、照明制御装置１のタッチパネル１８にシーンスケジュール設定用のメインＵＩを表示させる。具体的には、セットアップＵＩ（図１５参照）上での操作によってユーザがシーンスケジュール設定用のアイコンＩｃ３５を選択することにより、タッチパネル１８にメインＵＩを表示させる。タッチパネル１８へのメインＵＩの表示は、第１制御部１３の制御により実行される。
【０１１９】
図３６は、タッチパネル１８に表示されるシーンスケジュール設定用のメインＵＩを示した図である。メインＵＩは、３つの画像領域Ｉａ８０〜Ｉａ８２を有している。ここで、画像領域Ｉａ８０は、シーン設定ＵＩで作成されたゾーンを一覧で表示させる領域である。画像領域Ｉａ８１は、画像領域Ｉａ８０に表示されたゾーンの何れか１つが選択されたとき、選択されたゾーンに設定されている実行スケジュールを一覧で表示させる領域である。画像領域Ｉａ８２は、画像領域Ｉａ８１に表示された実行スケジュールの何れか１つが選択されたとき、選択された実行スケジュールを視認させるためのスケジュール画像Ｉｓ１を表示させる領域である。スケジュール画像Ｉｓ１は、実行スケジュールに従って実行される照明シーンの実行期間を視認させる画像であって、その画像において占める面積の割合で実行期間を表している。本実施形態において、スケジュール画像Ｉｓ１は、実行される照明シーンの数に分割されると共に各領域に照明シーンが対応付けられた正方形又は長方形の画像であって、照明シーンに対応付けられている領域の幅により実行期間を表している。
【０１２０】
尚、本実施形態において、画像領域Ｉａ８１への実行スケジュールの表示は、第１制御部１３が、対応する実行スケジュール名（以下、単に「スケジュール名」と呼ぶ。）が記されたアイコンを画像領域Ｉａ８１に表示させることにより、行われる。一方、実行スケジュールの選択は、ユーザが、対応するアイコンをメインＵＩ上で選択することにより行われる。
【０１２１】
図３６のメインＵＩ上では、スケジュール名として「スケジュールＣ（Ｋｚ−Ｋｃ）」が用いられている。ここで、符号Ｋｃは、実行スケジュールを識別するためのものであり、図３６では番号により表されている。又、実行スケジュールとゾーンとの対応関係が明確となる様に、スケジュール名には、符号Ｋｃの前に「Ｋｚ−」が付されている。
【０１２２】
本実施形態において、メインＵＩは更に、スケジュール追加ボタンＢ８１１、スケジュール編集ボタンＢ８１２、及びスケジュール削除ボタンＢ８１３を有している。スケジュール追加ボタンＢ８１１、スケジュール編集ボタンＢ８１２、及びスケジュール削除ボタンＢ８１３はそれぞれ、画像領域Ｉａ８２に対して、実行スケジュールの追加、編集、削除を実行する際に、メインＵＩ上でのユーザの操作により選択される。
【０１２３】
メインＵＩにおいて、画像領域Ｉａ８０に表示されたゾーンの何れか１つをユーザが選択した場合、第１制御部１３は、スケジュール追加ボタンＢ８１１を選択可能な状態へ切り替える。更に、第１制御部１３は、選択されたゾーンに設定されている実行スケジュールを画像領域Ｉａ８１に一覧で表示させる（図３７参照）。図３７では、ゾーンＺ（１）が選択され、そのゾーンＺ（１）に設定されている３つの実行スケジュールＣ（１−１）〜Ｃ（１−３）が画像領域Ｉａ８１に表示された場合が示されている。尚、選択されたゾーンが、未だユーザの操作による実行スケジュールの設定がなされていないものであった場合、画像領域Ｉａ８１には、デフォルト表示の例として、実行スケジュールのアイコンが全く表示されないか（図３８参照）、或いは、編集することを前提として設けられた１つ又は幾つかのアイコンが表示される。
【０１２４】
実行スケジュールを作成する場合、ユーザは、スケジュール追加ボタンＢ８１１の選択が可能な状態（即ち、ゾーンを選択した状態（図３８参照））で、スケジュール追加ボタンＢ８１１を選択する。スケジュール追加ボタンＢ８１１が選択されると、第１制御部１３は、タッチパネル１８にシーンスケジュール設定ＵＩを表示させる。
【０１２５】
図３９は、タッチパネル１８に表示されるシーンスケジュール設定ＵＩを示した図である。シーンスケジュール設定ＵＩは、３つの画像領域Ｉａ８３〜Ｉａ８５を有している。ここで、画像領域Ｉａ８３は、スケジュール名を入力するためのボックスＩｂ８３１が表示された領域である。画像領域Ｉａ８４は、実行スケジュールに従って実行させんとする照明シーンを、開始時刻の早い順に一覧で表示させる領域である。画像領域Ｉａ８５は、シーンスケジュール設定ＵＩ上で作成された実行スケジュールを視認させるためのスケジュール画像Ｉｓ２を表示させる領域である。
【０１２６】
尚、本実施形態において、画像領域Ｉａ８４への照明シーンの表示は、第１制御部１３が、対応するシーン名及び開始時刻が記されたアイコンを画像領域Ｉａ８４に表示させることにより、行われる。一方、照明シーンの選択は、ユーザが、対応するアイコンをシーンスケジュール設定ＵＩ上で選択することにより行われる。
【０１２７】
スケジュール画像Ｉｓ２は、画像領域Ｉａ８４に表示されている照明シーンの実行期間を視認させる画像であって、その画像において占める面積の割合で実行期間を表している。本実施形態において、スケジュール画像Ｉｓ２は、画像領域Ｉａ８４に表示された照明シーンの数に分割されると共に各領域に照明シーンが対応付けられた正方形又は長方形の画像であって、照明シーンに対応付けられている領域の幅により実行期間を表している。画像領域Ｉａ８５へのスケジュール画像Ｉｓ２の表示は、第１制御部１３の制御により実行される。具体的には、第１制御部１３は、画像領域Ｉａ８４に表示させる照明シーン、並びに照明シーンの各々に対応付けられた開始時刻に基づいて、スケジュール画像Ｉｓ２を生成し、これを画像領域Ｉａ８５に表示させる。
【０１２８】
本実施形態において、シーンスケジュール設定ＵＩは更に、シーン追加ボタンＢ８４１、シーン編集ボタンＢ８４２、及びシーン削除ボタンＢ８４３を有している。シーン追加ボタンＢ８４１、シーン編集ボタンＢ８４２、及びシーン削除ボタンＢ８４３はそれぞれ、画像領域Ｉａ８４に対して、照明シーンの追加、編集、削除を実行する際に、シーンスケジュール設定ＵＩ上でのユーザの操作により選択される。
【０１２９】
シーンスケジュール設定（実行スケジュールの作成）は、シーンスケジュール設定ＵＩにおいて次の様に実行される。図４０〜図４３は、シーンスケジュール設定の説明に用いられるシーンスケジュール設定ＵＩを示した図である。シーンスケジュール設定ＵＩが表示された段階では、未だユーザの操作による照明シーン及びその開始時刻の設定はなされていない。そのため、第１制御部１３は、デフォルト表示の例として、画像領域Ｉａ８４に照明シーンのアイコンを全く表示させないか、或いは、編集することを前提として設けられた１つ又は幾つかのアイコンを表示させる（図３９参照）。更に、第１制御部１３は、シーン追加ボタンＢ８４１を選択可能な状態で表示させる。
【０１３０】
図３９では、編集することを前提として、仮のシーン名「Ｓ（Ｄ１）」〜「Ｓ（Ｄ４）」及び開始時刻が記された４つのアイコンが画像領域Ｉａ８４に表示されている。尚、図３９では、仮の開始時刻がそれぞれ、０：００、６：００、１２：００、及び１８：００と設定されている。又、それらの開始時刻に基づいて生成されたスケジュール画像Ｉｓ２が、画像領域Ｉａ８５に表示されている。
【０１３１】
シーンスケジュール設定ＵＩにおいて、ユーザは先ず、タッチパネル１８の操作により、追加する実行スケジュールのスケジュール名をボックスＩｂ８３１に入力する（図４０参照）。図４０では、スケジュール名として「スケジュールＣ（２−１）」がボックスＩｂ８３１に入力された場合が示されている。
【０１３２】
画像領域Ｉａ８４に少なくとも１つの照明シーンのアイコンが表示された状態（図４０参照）で、画像領域Ｉａ８４上のアイコンの何れか１つをユーザが選択した場合、第１制御部１３は、シーンスケジュール設定ＵＩにおいて、シーン編集ボタンＢ８４２及びシーン削除ボタンＢ８４３を選択可能な状態へ切り替える（図４１（ａ）参照）。図４１（ａ）では、仮の照明シーンＳ（Ｄ４）が選択された場合が示されている。この状態で、ユーザがシーン削除ボタンＢ８４３を選択した場合、第１制御部１３は、選択されている照明シーンのアイコンを画像領域Ｉａ８４から削除すると共に、その削除に伴う変更を反映させたスケジュール画像Ｉｓ２を生成して画像領域Ｉａ８５に表示させる（図４１（ｂ）参照）。
【０１３３】
一方、照明シーンが選択された状態（図４１（ａ）参照）で、ユーザがシーン編集ボタンＢ８４２を選択した場合、第１制御部１３は、照明シーンを編集するためのウィンドウＷ８６を、タッチパネル１８にポップアップ表示させる（図４２（ａ）参照）。ウィンドウＷ８６は、シーン選択画像Ｉｅ８６１と、時刻設定画像Ｉｅ８６２とを有している。シーン選択画像Ｉｅ８６１は、メインＵＩの画像領域Ｉａ８０で選択されたゾーンに設定されている照明シーンの何れか１つを、タッチパネル１８でのユーザの操作により選択することを可能ならしめる画像である。時刻設定画像Ｉｅ８６２は、シーン選択画像Ｉｅ８６１で選択された照明シーンの開始時刻を、タッチパネル１８でのユーザの操作により設定することを可能ならしめる画像である。
【０１３４】
具体的には、シーン選択画像Ｉｅ８６１は、選択可能な照明シーンをプルダウンリストで表示させるためのプルダウンボタンを有している。プルダウンボタンには、プルダウンリストから選択された照明シーンのシーン名が表示される。時刻設定画像Ｉｅ８６２は、開始時刻を時と分で表すべく、時の部分の数字を表示するボックスＩｂ８６１と、分の部分の数字を表示するボックスＩｂ８６２とを有している。時刻設定画像Ｉｅ８６２は更に、ボックスＩｂ８６１の上下にそれぞれ設けられた送りボタンＢ８６１及び戻しボタンＢ８６２と、ボックスＩｂ８６２の上下にそれぞれ設けられた送りボタンＢ８６３及び戻しボタンＢ８６４とを有している。送りボタンＢ８６１及びＢ８６３はそれぞれ、ボックスＩｂ８６１及びＩｂ８６２に表示されている数字を時間が進行する方向へ送る際に、タッチパネル１８でのユーザの操作により押される。戻しボタンＢ８６２及びＢ８６４はそれぞれ、ボックスＩｂ８６１及びＩｂ８６２に表示されている数字を時間が進行する方向とは逆の方向へ戻す際に、タッチパネル１８でのユーザの操作により押される。ウィンドウＷ８６上でのユーザの操作に伴うシーン選択画像Ｉｅ８６１及び時刻設定画像Ｉｅ８６２の動作は、第１制御部１３により制御される。
【０１３５】
ウィンドウＷ８６において、ユーザは、シーン選択画像Ｉｅ８６１を操作することにより照明シーンを選択する（図４２（ｂ）参照）。その後、ユーザは、時刻設定画像Ｉｅ８６２を操作することにより、シーン選択画像Ｉｅ８６１で選択した照明シーンの開始時刻を設定する。図４２（ｂ）では、シーンＳ（２−３）が選択されると共にその開始時刻が１６：００と設定された場合が示されている。そして、ユーザは、ウィンドウＷ８６内のＯＫボタンを選択することにより、選択した照明シーン及びその開始時刻を確定させる。
【０１３６】
ウィンドウＷ８６にて照明シーン及びその開始時刻が確定されると、第１制御部１３は、ウィンドウＷ８６を閉じると共に、選択されている照明シーンのアイコンに記されたシーン名及び開始時刻を、確定された新たな照明シーンのシーン名及び開始時刻に置き換える（図４３参照）。更に、第１制御部１３は、確定された照明シーン及び開始時刻を、変更前の情報に置き換えて記憶部１６に記憶させると共に、照明シーン及び開始時刻の変更を反映させたスケジュール画像Ｉｓ２を生成して画像領域Ｉａ８５に表示させる（図４３参照）。
【０１３７】
シーンスケジュール設定ＵＩにおいて、ユーザがシーン追加ボタンＢ８４１を選択した場合、第１制御部１３は、照明シーンを追加するための、ウィンドウＷ８６と同様のウィンドウを、タッチパネル１８にポップアップ表示させる（図４２（ａ）参照）。その後、ユーザは、新たな照明シーンを選択すると共にその照明シーンの開始時刻を設定する。そして、ユーザは、上記ウィンドウ内のＯＫボタンを選択することにより、選択した照明シーン及びその開始時刻を確定させる。これらが確定されると、第１制御部１３は、上記ウィンドウを閉じると共に、確定された照明シーンのシーン名及び開始時刻が記された新たなアイコンを画像領域Ｉａ８４に追加する。更に、第１制御部１３は、確定された開始時刻を、画像領域Ｉａ８４に追加された照明シーンに関連付けて記憶部１６に記憶させると共に、照明シーン及びその開始時刻の追加を反映させたスケジュール画像Ｉｓ２を生成して画像領域Ｉａ８５に表示させる。
【０１３８】
この様なシーンスケジュール設定ＵＩ上でのユーザの操作に応じて、第１制御部１３は、ゾーンに設定されている照明シーンの実行スケジュールを作成する。そして、ユーザがシーンスケジュール設定ＵＩ内のＯＫボタンを選択することにより、作成された実行スケジュールの内容及びスケジュール名が確定される。実行スケジュールの内容及びスケジュール名が確定されると、第１制御部１３は、確定された実行スケジュールの内容を、スケジュール名と共に記憶部１６に記憶させる。そして、第１制御部１３は、シーンスケジュール設定ＵＩを閉じてメインＵＩを再びタッチパネル１８に表示させると共に、確定されたスケジュール名が記された新たなアイコン（即ち、新たな実行スケジュール）を画像領域Ｉａ８１に追加する（図４４参照）。
【０１３９】
メインＵＩに戻って、画像領域Ｉａ８１に少なくとも１つの実行スケジュールが表示された状態で、ユーザが実行スケジュールの何れか１つを選択した場合、第１制御部１３は、メインＵＩにおいて、スケジュール編集ボタンＢ８１２及びスケジュール削除ボタンＢ８１３を選択可能な状態へ切り替える。更に、第１制御部１３は、選択された実行スケジュールを視認させるためのスケジュール画像Ｉｓ１を画像領域Ｉａ８３に表示させる（図３６参照）。この状態で、ユーザがスケジュール削除ボタンＢ８１３を選択した場合、第１制御部１３は、選択されている実行スケジュールを画像領域Ｉａ８１から削除する。一方、ユーザがスケジュール編集ボタンＢ８１２を選択した場合、第１制御部１３は、実行スケジュールを変更するための、上述したシーンスケジュール設定ＵＩと同様のＵＩを、タッチパネル１８に表示させる（図３９参照）。その後、ユーザは、照明シーンの編集及び／又は追加を実行することにより、実行スケジュールを変更する。そして、ユーザは、ＵＩ内のＯＫボタンを選択することにより、変更した実行スケジュールを確定させる。変更が確定されると、第１制御部１３は、上記ＵＩを閉じてメインＵＩを再びタッチパネル１８に表示させると共に、確定された実行スケジュールを、メインＵＩで選択されていた実行スケジュールに置き換えて記憶部１６に記憶させる。
【０１４０】
＜シーン制御の実行＞
上述したシーン設定及びシーンスケジュール設定が実行されることにより、シーン制御を行う上で必要な情報が構築される。即ち、シーン制御を行う上で必要な、ゾーンの設定、ゾーンごとの照明シーンの設定（シーン情報の作成）、ゾーンごとに設定されている照明シーンの実行スケジュールの設定が行われる。そして、これらの設定は、上述したシーン設定ＵＩ、メインＵＩ、及びシーンスケジュール設定ＵＩが用いられることにより、ユーザにとって容易なものとなる。
【０１４１】
シーン制御を行う上で必要な情報は、上記の設定の都度、記憶部１６に記憶される。そして、記憶部１６に記憶された情報に基づいて、第１制御部１３は、ゾーンの各々において、そのゾーンに含まれる全てのＬＥＤ照明装置２をグループごとに制御する。具体的には、第１制御部１３は、記憶部１６に記憶されている情報に基づいて、制御信号を生成する。その後、第１制御部１３は、生成した制御信号を、第１送信部１１を通じて、ゾーンに含まれる全てのＬＥＤ照明装置２に送信する。尚、制御信号を生成する際に用いられる情報として、センサ４の検出結果が含まれてもよい。
【０１４２】
［２−６］制御機能の有効／無効設定
＜グループ制御機能の有効／無効設定＞
ホームＵＩ（図１４参照）において、グループボタンＢ２２が選択された状態で、画像領域Ｉａ２１に表示されているアイコンＩｃ２１の何れか１つをユーザが選択した場合、第１制御部１３は、グループ制御用ウィンドウＷ２３をポップアップ表示させる（図４５参照）。ここで、ウィンドウＷ２３は、それを表示させる際に選択されたアイコンＩｃ２１に対応しているグループについて、その制御モードを設定するための画像である。
【０１４３】
図４５は、グループ制御用ウィンドウＷ２３がポップアップ表示されているホームＵＩを示した図である。ウィンドウＷ２３は、グループ名を表示させる画像領域Ｉａ２３１と、照明制御情報（本実施形態では調光率）を設定するための設定画像Ｉｓ２３２と、制御モードを選択するために設けられた画像領域Ｉａ２３３とを有している。ここで、画像領域Ｉａ２３１は、ウィンドウＷ２３を表示させる際に選択されたアイコンＩｃ２１に対応するグループのグループ名を表示させる領域である。
【０１４４】
設定画像Ｉｓ２３２には、タッチパネル１８でのユーザの操作により調光率を設定又は変更することを可能ならしめる設定操作画像Ｉｅ２３２と、変更後の調光率を数値で表示させるボックスＩｂ２３２とが含まれている。具体的には、設定操作画像Ｉｅ２３２は、スライド操作が可能なツマミを有している。そして、第１制御部１３は、ボックスＩｂ２３２内の数値を、設定操作画像Ｉｅ２３２のツマミの位置に連動させて変更させる。
【０１４５】
画像領域Ｉａ２３３には、オートボタンＢ２４１、マニュアルボタンＢ２４２、及び無効ボタンＢ２４３が表示されている。オートボタンＢ２４１、マニュアルボタンＢ２４２、及び無効ボタンＢ２４３はそれぞれ、画像領域Ｉａ２３１に表示されているグループの制御モードを、オートモード、マニュアルモード、及び無効モードの何れかに設定する際に選択される。具体的には、オートボタンＢ２４１、マニュアルボタンＢ２４２、及び無効ボタンＢ２４３は、択一的に選択されるものであり、第１制御部１３は、そのような択一的な選択が実現される様に選択と解除とを切り替える。
【０１４６】
ウィンドウＷ２３において、ユーザが、オートボタンＢ２４１を選択した状態で、ウィンドウＷ２３内のＯＫボタンを選択した場合、第１制御部１３は、ウィンドウＷ２３を閉じると共に、そのウィンドウＷ２３の画像領域Ｉａ２３１に表示されていたグループの制御モードをオートモードに設定する。又、第１制御部１３は、確定された設定を、ホームＵＩの画像領域Ｉａ２１に表示されている制御状況に反映させる。そして、第１制御部１３は、オートモードに設定されたグループを、そのグループに対応付けられている照明タイムテーブルに基づいて制御する。即ち、登録されているグループの何れかにおいて、制御モードがオートモードに設定されることにより、オートモードに設定されたグループに対しては、照明制御装置１が持つグループ制御機能が有効になる。換言すれば、グループに対する制御内容を時間の経過に伴って自動的に切り替える設定が有効になる。
【０１４７】
ウィンドウＷ２３において、ユーザが、マニュアルボタンＢ２４２を選択した場合、第１制御部１３は、設定画像Ｉｓ２３２を操作可能な状態へ切り替える。この状態で、ユーザは、設定操作画像Ｉｅ２３２のツマミをスライドさせることにより、ボックスＩｂ２３２に表示される数値を見ながら、画像領域Ｉａ２３１に表示されているグループに適用せんとする調光率を設定する。その後、ユーザがウィンドウＷ２３内のＯＫボタンを選択することにより、第１制御部１３は、ウィンドウＷ２３を閉じると共に、そのウィンドウＷ２３の画像領域Ｉａ２３１に表示されていたグループの制御モードをマニュアルモードに設定する。又、第１制御部１３は、確定された設定を、ホームＵＩの画像領域Ｉａ２１に表示されている制御状況に反映させる。そして、第１制御部１３は、マニュアルモードに設定されたグループを、ウィンドウＷ２３で設定された調光率で制御する。
【０１４８】
ウィンドウＷ２３において、ユーザが、無効ボタンＢ２４３を選択した状態で、ウィンドウＷ２３内のＯＫボタンを選択した場合、第１制御部１３は、ウィンドウＷ２３を閉じると共に、そのウィンドウＷ２３の画像領域Ｉａ２３１に表示されていたグループの制御モードを無効モードに設定する。又、第１制御部１３は、確定された設定を、ホームＵＩの画像領域Ｉａ２１に表示されている制御状況に反映させる。そして、第１制御部１３は、無効モードに設定されたグループの制御を停止する。即ち、登録されているグループの何れかにおいて制御モードが無効モードに設定されることにより、無効モードに設定されたグループに対しては、照明制御装置１が持つグループ制御機能が無効になる。
【０１４９】
この様に、第１制御部１３は、タッチパネル１８上でのユーザの操作に応じて、グループ制御機能についての有効と無効の切替え設定が可能である。
【０１５０】
＜シーン制御機能の有効／無効設定＞
ホームＵＩ（図１４参照）において、シーンボタンＢ２３が選択された状態で、画像領域Ｉａ２１に表示されているアイコンＩｃ２２の何れか１つをユーザが選択した場合、第１制御部１３は、シーン制御用ウィンドウＷ２５をポップアップ表示させる（図４６参照）。ここで、ウィンドウＷ２５は、それを表示させる際に選択されたアイコンＩｃ２２に対応しているゾーンについて、その制御モードを設定するための画像である。
【０１５１】
図４６は、シーン制御用ウィンドウＷ２５がポップアップ表示されているホームＵＩを示した図である。ウィンドウＷ２５は、ゾーン名を表示させる画像領域Ｉａ２５１と、照明シーンを選択するためのシーン選択画像Ｉｅ２５２と、制御モードを選択するために設けられた画像領域Ｉａ２５３とを有している。ここで、画像領域Ｉａ２５１は、ウィンドウＷ２５を表示させる際に選択されたアイコンＩｃ２２に対応するゾーンのゾーン名を表示させる領域である。
【０１５２】
シーン選択画像Ｉｅ２５２は、画像領域Ｉａ２５１に表示されているゾーンに設定されている照明シーンの何れか１つを、タッチパネル１８でのユーザの操作により選択することを可能ならしめる画像である。具体的には、シーン選択画像Ｉｅ２５２は、選択可能な照明シーンをプルダウンリストで表示させるためのプルダウンボタンを有している。プルダウンボタンには、プルダウンリストから選択された照明シーンのシーン名が表示される。
【０１５３】
画像領域Ｉａ２５３には、オートボタンＢ２６１、マニュアルボタンＢ２６２、及び無効ボタンＢ２６３が表示されている。オートボタンＢ２６１、マニュアルボタンＢ２６２、及び無効ボタンＢ２６３はそれぞれ、画像領域Ｉａ２５１に表示されているゾーンの制御モードを、オートモード、マニュアルモード、及び無効モードの何れかに設定する際に選択される。具体的には、オートボタンＢ２６１、マニュアルボタンＢ２６２、及び無効ボタンＢ２６３は、択一的に選択されるものであり、第１制御部１３は、そのような択一的な選択が実現される様に選択と解除とを切り替える。
【０１５４】
ウィンドウＷ２５において、ユーザが、オートボタンＢ２６１を選択した状態で、ウィンドウＷ２５内のＯＫボタンを選択した場合、第１制御部１３は、ウィンドウＷ２５を閉じると共に、そのウィンドウＷ２５の画像領域Ｉａ２５１に表示されていたゾーンの制御モードをオートモードに設定する。又、第１制御部１３は、確定された設定を、ホームＵＩの画像領域Ｉａ２１に表示されている制御状況に反映させる。そして、第１制御部１３は、オートモードに設定されたゾーンを、そのゾーンに対応付けられている実行スケジュールに基づいて制御する。即ち、登録されているゾーンの何れかにおいて、制御モードがオートモードに設定されることにより、オートモードに設定されたゾーンに対しては、照明制御装置１が持つシーン制御機能が有効になる。換言すれば、ゾーンに対する制御内容を時間の経過に伴って自動的に切り替える設定が有効になる。
【０１５５】
ウィンドウＷ２５において、ユーザが、マニュアルボタンＢ２６２を選択した場合、第１制御部１３は、シーン選択画像Ｉｅ２５２を操作可能な状態へ切り替える。この状態で、ユーザは、シーン選択画像Ｉｅ２５２を操作することにより、画像領域Ｉａ２５１に表示されているゾーンに適用せんとする照明シーンを選択する。その後、ユーザがウィンドウＷ２５内のＯＫボタンを選択することにより、第１制御部１３は、ウィンドウＷ２５を閉じると共に、そのウィンドウＷ２５の画像領域Ｉａ２５１に表示されていたゾーンの制御モードをマニュアルモードに設定する。又、第１制御部１３は、確定された設定を、ホームＵＩの画像領域Ｉａ２１に表示されている制御状況に反映させる。そして、第１制御部１３は、マニュアルモードに設定されたゾーンを、ウィンドウＷ２５で設定された照明シーンで制御する。
【０１５６】
ウィンドウＷ２５において、ユーザが、無効ボタンＢ２６３を選択した状態で、ウィンドウＷ２５内のＯＫボタンを選択した場合、第１制御部１３は、ウィンドウＷ２５を閉じると共に、そのウィンドウＷ２５の画像領域Ｉａ２５１に表示されていたゾーンの制御モードを無効モードに設定する。又、第１制御部１３は、確定された設定を、ホームＵＩの画像領域Ｉａ２１に表示されている制御状況に反映させる。そして、第１制御部１３は、無効モードに設定されたゾーンの制御を停止する。即ち、登録されているゾーンの何れかにおいて制御モードが無効モードに設定されることにより、無効モードに設定されたゾーンに対しては、照明制御装置１が持つシーン制御機能が無効になる。
【０１５７】
この様に、第１制御部１３は、タッチパネル１８上でのユーザの操作に応じて、シーン制御機能についての有効と無効の切替え設定が可能である。
【０１５８】
＜優先制御＞
ゾーンに対応付けられているグループを制御する際、グループ制御機能及びシーン制御機能は、何れか一方が有効と設定されると共に他方が無効と設定されてもよいし、何れもが有効と設定されてもよい。以下、何れもが有効と設定されたときに実行される優先制御について説明する。
【０１５９】
優先制御では、第１制御部１３は、ゾーンに対応付けられているグループの各々を、次の様に制御する。即ち、第１制御部１３は、グループの各々について、制御中の時刻が、グループ制御機能に基づく制御内容の切替え予定時刻（調光率が切り替わる予定時刻）とシーン制御機能に基づく制御内容の切替え予定時刻（照明シーンが切り替わる予定時刻）とに到達するごとに、グループ制御機能及びシーン制御機能のうち、その到達時点で制御内容を切り替える設定が施されている一方の制御機能を優先的に選択して制御を行う。
【０１６０】
具体的に、図４７を用いて説明する。図４７は、グループＧ（１）に設定された照明タイムテーブルと、グループＧ（１）が属するゾーンＺ（１）に設定された実行スケジュールと、制御機能の切り替わりとをそれぞれ可視化した図を示している。制御機能の切り替わりが可視化された図では、グループ制御機能が優先されている期間が符号Ｔｇで表され、シーン制御機能が優先されている期間が符号Ｔｓで表されている。
【０１６１】
例えば、時刻０：００から照明制御が開始され、開始時刻においてシーン制御機能が優先的に選択された場合、図４７に示される様に、開始時刻から次の切替え予定時刻（時刻６：００）までシーン制御機能が優先される。即ち、ゾーンＺ（１）に含まれるＬＥＤ照明装置２により照明シーンＳ（１−１）が実現される。時刻が次の切替え予定時刻（時刻６：００）に到達すると、第１制御部１３は、その到達時点で調光率を０％から４０％へ切り替える設定が施されているグループ制御機能を優先的に選択して制御する。そして、次の切替え予定時刻（時刻８：００）までグループ制御機能が優先される。即ち、グループＧ（１）に含まれるＬＥＤ照明装置２の調光率が４０％に制御される。この様な制御が繰り返されることにより、優先制御が実現される。
【０１６２】
この様な優先制御において、グループ制御機能に基づく制御内容の切替え予定時刻（調光率が切り替わる予定時刻）と、シーン制御機能に基づく制御内容の切替え予定時刻（照明シーンが切り替わる予定時刻）とが一致する時点が存在する場合、第１制御部１３は、次の様な制御を実行することが好ましい。具体的には、第１制御部１３は、優先制御情報を、記憶部１６に記憶させておくことにより保持する。ここで、優先制御情報は、切替え予定時刻が一致する時点で、照明制御装置がグループ制御機能とシーン制御機能の何れを優先的に実行すべきかを示した情報である。そして、第１制御部１３は、グループ制御機能に基づく制御内容の切替え予定時刻と、シーン制御機能に基づく制御内容の切替え予定時刻とが一致したときに、優先制御情報により示される制御機能を選択して実行する。優先制御情報は、例えばタッチパネル上でのユーザの操作により設定される。
【０１６３】
図４７の例では、時刻１３：００は、グループ制御機能に基づく制御内容の切替え予定時刻であり、且つ、シーン制御機能に基づく制御内容の切替え予定時刻でもある。即ち、時刻１３：００は、上記２つの切替え予定時刻が一致する時点となっている。優先制御情報が、この時点でグループ制御機能を優先的に実行すべきことを示している場合、第１制御部１３は、実行する制御内容を、グループ制御機能に基づく制御内容へ切り替える（図４７の例）。一方、優先制御情報が、その時点でシーン制御機能を優先的に実行すべきことを示している場合、第１制御部１３は、実行する制御内容を、シーン制御機能に基づく制御内容へ切り替える。尚、ＬＥＤ照明システムにおいて、優先制御情報は、１つだけが記憶されていてもよいし、１つ以上のグループやシーンに対応づけて記憶されていてもよい。
【０１６４】
上記優先制御によれば、グループ制御機能及びシーン制御機能の何れもが有効と設定されている場合でも、第１制御部１３は、滞りなく且つ効率的に照明制御を実行することが出来る。
【０１６５】
［３］変形例
ＬＥＤ照明システム及び照明制御装置１に関する変形例について説明する。
【０１６６】
［３−１］第１変形例
上述の実施形態では、照明制御として調光を行う例が説明された。しかし、照明制御は、調光に限定されず、ＬＥＤ照明装置２に対する指示として、設定するパラメータや送信信号などを変更することで制御するものであってもよい。例えば、照明制御は、調色を行うものであってもよい。以下、調色の例として、オーバードライブ調色について説明する。
【０１６７】
＜ＬＥＤ照明装置の構成＞
図４８は、第１変形例において、ＬＥＤ照明装置２の各々が持つ構成を概念的に示したブロック図である。第１変形例では、ＬＥＤ照明装置２の各々の構成は、次の点で上記実施形態の構成（図３参照）とは異なる。即ち、ＬＥＤ照明装置２の各々は、ＬＥＤ２４に代えて、色の異なる２種類のＬＥＤ２４１及び２４２を有している。一例として、ＬＥＤ２４１は暖色系のＬＥＤであり、ＬＥＤ２４２は寒色系のＬＥＤである。そして、ＬＥＤ２４１及び２４２から発せられる２色の光が混ざり合うことにより、ＬＥＤ照明装置２の点灯時に発せられる照明色が形成される。尚、ＬＥＤ２４１及び２４２は、別個のＬＥＤとして構成される場合に限らず、同様の機能を実現することが出来る１つのＬＥＤとして構成されてもよい。
【０１６８】
更に、ＬＥＤ照明装置２の各々は、２種類のＬＥＤ２４１及び２４２に対して電力をそれぞれ供給する２つの電源回路２５１及び２５２を有している。供給電力量の調整は、照明制御装置１からの指令に応じて、第２制御部２３が電源回路２５１及び２５２をそれぞれ独立に制御することにより実行される。電源回路２５１及び２５２からＬＥＤ２４１及び２４２へそれぞれ供給される電力量が独立に調整されることより、ＬＥＤ２４１及び２４２の明るさがそれぞれ独立に調整される。その結果として、ＬＥＤ照明装置２の各々は、照明色の調整を可能ならしめる調色機能を有する。尚、電源回路２５１及び２５２は、別個の回路として構成される場合に限らず、同様の機能を実現することが出来る１つの電源回路として構成されてもよい。上述した実施形態（図３）では、電源回路の説明が省略されたが、図３のＬＥＤ照明装置２にも、ＬＥＤ２４に電力を供給する電源回路が設けられてもよい。
【０１６９】
＜オーバードライブ調色制御＞
第１変形例において、照明制御装置１は、ＬＥＤ照明装置２の各々の照明色を調整する調色制御が可能である。具体的には、第１制御部１３が、ＬＥＤ照明装置２の第２制御部２３を介して電源回路２５１及び２５２を制御することにより、ＬＥＤ２４１及び２４２の明るさをそれぞれ独立に制御する。
【０１７０】
より具体的に、第１制御部１３は、ＬＥＤ２４１及び２４２の明るさの合計量Ｚｔが、合計量Ｚｔとして設定し得る最大値Ｚｍａｘの５０％以下となる調色領域Ｒｃ１において、ＬＥＤ２４１及び２４２の明るさをそれぞれ独立に制御する。そして、特に特徴的な点として、第１制御部１３は更に、明るさの合計量Ｚｔが最大値Ｚｍａｘの５０％を超える調色領域Ｒｃ２においても、ＬＥＤ２４１及び２４２の明るさをそれぞれ独立に制御することが可能である。
【０１７１】
一般的には、主に調色領域Ｒｃ１（Ｚ≦Ｚｍａｘの５０％）でＬＥＤ２４１及び２４２の明るさが制御される。しかし、第１変形例では、調色領域Ｒｃ２（Ｚ＞Ｚｍａｘの５０％）でもＬＥＤ２４１及び２４２の明るさを制御することが可能である。そして、明るさ基準で調色領域Ｒｃ１よりも上の領域である調色領域Ｒｃ２での制御が実現されることにより、調色制御に関するオーバードライブが実現されている。
【０１７２】
＜調色設定ＵＩ＞
図４９及び図５０は、調色設定ＵＩを示した図である。一例として、調色設定ＵＩは、図４９に示される様に、グループスケジュール設定ＵＩ上にポップアップ表示されるウィンドウＷ５４（図２１（ａ）参照）において、設定画像Ｉｓ５４１に代えて表示される。他の例として、調色設定ＵＩは、図５０に示される様に、シーン設定ＵＩ上にポップアップ表示されるウィンドウＷ７６（図３４（ａ）参照）において、設定画像Ｉｓ７６１に代えて表示される。
【０１７３】
調色設定ＵＩは、調色画像Ｉｅ９１と、調色比設定画像Ｉｓ９２と、明るさ比設定画像Ｉｓ９３とを有している。調色画像Ｉｅ９１は、調色比Ｘを横軸とし且つ明るさ比Ｙを縦軸として規定される座標系において、対応する座標での照明色の色合い及び明るさが視認可能な状態で表示された画像である。ここで、調色比Ｘは、照明色の色合いを規定する２種類のＬＥＤ２４１及び２４２の明るさの比率である。明るさ比Ｙは、明るさの合計量Ｚｔの、その最大値Ｚｍａｘに対する比率である。尚、図４９及び図５０では、調色比Ｘが、比率「ＬＥＤ２４１の明るさ：ＬＥＤ２４２の明るさ」で表示されている。
【０１７４】
第１変形例において、調色画像Ｉｅ９１は、上記座標系において、照明色としてＬＥＤ照明装置２に発光させることが可能な領域を含むと共に、照明色の色合い及び明るさの連続的な変化を模式的に表した画像である。図４９及び図５０では調色画像Ｉｅ９１の内部は単なる白色になっているが、実際にはグラデーション表現などにより照明色の色合い及び明るさの連続的な変化が表されている。より具体的には、調色画像Ｉｅ９１の内部において、中央部分は、暖色、寒色の割合が同等であることを表現する白色である。そして、右端に近づくほどに、寒色が支配的になっていくことを表現すべく、青色（一例として寒色を表現した色）が濃くなっていく。又、左端に近づくほどに、暖色が支配的になっていくことを表現すべく、黄色（一例として暖色を表現した色）が濃くなっていく。
更に、調色画像Ｉｅ９１は、調色比Ｘ及び明るさ比Ｙが何れも５０％となる座標を中心とした楕円形状を呈している。従って、調色画像Ｉｅ９１は、明るさ比が５０％を超えた部分（明るさの合計量Ｚｔが最大値Ｚｍａｘの５０％を超えた部分）を含んでおり、オーバードライブ調色制御用の画像となっている。尚、調色画像Ｉｅ９１の形状として、楕円形状に限定されない様々な形状（例えば、多角形状やトラック形状など）が採用されてもよい。
【０１７５】
調色比設定画像Ｉｓ９２には、タッチパネル１８でのユーザの操作により調色比を設定又は変更することを可能ならしめる設定操作画像Ｉｅ９２１と、変更後の調色比を数値で表示させるボックスＩｂ９２１とが含まれている。具体的には、設定操作画像Ｉｅ９２１は、スライド操作が可能なツマミを有している。そして、第１制御部１３は、ボックスＩｂ９２１内の数値を、設定操作画像Ｉｅ９２１のツマミの位置に連動させて変更させる。
【０１７６】
明るさ比設定画像Ｉｓ９３には、タッチパネル１８でのユーザの操作により明るさ比を設定又は変更することを可能ならしめる設定操作画像Ｉｅ９３１と、変更後の明るさ比を数値で表示させるボックスＩｂ９３１とが含まれている。具体的には、設定操作画像Ｉｅ９３１は、スライド操作が可能なツマミを有している。そして、第１制御部１３は、ボックスＩｂ９３１内の数値を、設定操作画像Ｉｅ９３１のツマミの位置に連動させて変更させる。
【０１７７】
調色設定ＵＩにおいて、ユーザは、調色画像Ｉｅ９１に表示された色合い及び明るさを確認しながら、照明制御情報として適用せんとする色合い及び明るさが示された調色画像Ｉｅ９１内の１つの座標を選択する。調色画像Ｉｅ９１内の座標が選択されると、第１制御部１３は、選択された座標に対応する調色比Ｘ及び明るさ比Ｙに基づいて、設定操作画像Ｉｅ９３１及びＩｅ９３２の表示を変更させる。具体的には、第１制御部１３は、調色比設定画像Ｉｓ９２において、設定操作画像Ｉｅ９２１のツマミの位置及びボックスＩｂ９２１内の数値を、選択された座標に対応する調色比Ｘとなる様に変更させる。又、第１制御部１３は、明るさ比設定画像Ｉｓ９３において、設定操作画像Ｉｅ９３１のツマミの位置及びボックスＩｂ９３１内の数値を、選択された座標に対応する明るさ比Ｙとなる様に変更させる。
【０１７８】
この状態で、ユーザは、設定操作画像Ｉｅ９２１のツマミの位置を変更することにより、調色比を調整することが出来る。又、ユーザは、設定操作画像Ｉｅ９３１のツマミの位置を変更することにより、明るさ比を調整することが出来る。
【０１７９】
その後、ユーザは、タッチパネル１８に表示させているウィンドウＷ５４（図４９参照）又はウィンドウＷ７６（図５０参照）内のＯＫボタンを選択することにより、調色設定ＵＩで設定した調色比及び明るさ比を確定させる。
【０１８０】
調色設定ＵＩにて調色比及び明るさ比が確定させると、第１制御部１３は、確定された調色比Ｘ及び明るさ比Ｙに基づいて、２種類のＬＥＤ２４１及び２４２の明るさ（又はそれらの明るさに対応した物理量（例えば、供給電力量など））をそれぞれ算出し、算出した明るさ（又は物理量）に関する情報（照明制御情報）を、対応するグループに関連付けて記憶部１６に記憶させる。そして、第１制御部１３は、算出した明るさ（又は物理量）に応じ、ＬＥＤ照明装置２の第２制御部２３を介して電源回路２５１及び２５２を制御する。
【０１８１】
第１変形例によれば、ＬＥＤ照明装置２に調色機能を持たせることにより、多様な照明シーンを実現することが可能となる。又、照明制御装置１に調色制御機能が備わることになるので、ＬＥＤ照明システムにおいて制御機能が充実することになる。この様に制御機能を充実させた場合でも、ユーザが調色設定を行う際には上述した調色設定ＵＩが用いられるため、ユーザにとっての利便性は高い。
【０１８２】
更に、第１変形例によれば、調色制御に関するオーバードライブが実現されている。従って、従来に比べて、より明るい照明シーンを実現することが可能となる。
【０１８３】
［３−２］第２変形例
第２変形例は、グループ登録時のステップＳ１２（図１３参照）を具体化させたものである。ここで、図１３のステップＳ１２は、照明制御装置１の第１制御部１３が第１識別情報ＩＤ１を取得してそれらをタッチパネル１８に表示させるステップである。図５１は、第２変形例において第１制御部１３が実行する制御及びユーザが行う操作を示したフローチャートである。
【０１８４】
第２変形例では、上記実施形態の構成に加えて、ゲートウェイＧＷが、それぞれの識別を可能にする第２識別情報ＩＤ２を持っている。そして、図５１に示す様に、第２変形例では、第１制御部１３は、第１識別情報ＩＤ１を取得する前にステップＳ１２１を実行する。ステップＳ１２１において、第１制御部１３は、照明制御装置１との無線通信が可能な範囲に存在するゲートウェイＧＷの第２識別情報ＩＤ２を取得する。そして、第１制御部１３は、取得した第２識別情報ＩＤ２をタッチパネル１８に表示させる。図５２は、第２識別情報ＩＤ２が表示されているタッチパネル１８の画面を示した図である。
【０１８５】
次に、ユーザは、タッチパネル１８上で第２識別情報ＩＤ２を１つ選択することにより、ゲートウェイＧＷを選定する（ステップＳ２０）。ゲートウェイＧＷが選定されると、ステップＳ１２２において、第１制御部１３は、選定されたゲートウェイＧＷを通じて、このゲートウェイＧＷとの直接的な無線通信が可能なＬＥＤ照明装置２が持つ第１識別情報ＩＤ１を取得する。
【０１８６】
ここで、ユーザにとっては、タッチパネル１８上で第２識別情報ＩＤ２を選択する際に、その第２識別情報ＩＤ２がどのゲートウェイＧＷに対応したものであるのかを認識することは重要である。なぜなら、後のステップＳ２１での関連付けを効率良く行う上で、ユーザは、タッチパネル１８に表示された第１識別情報ＩＤ１が、どのゲートウェイＧＷを基準として取得されたものであるかを認識しておく必要があるからである。
【０１８７】
これを解決する手段として、例えば、次の様なものが考えられる。先ず、ゲートウェイＧＷとして、図５３に示す様に外部に光を放つ発光部５が設けられたゲートウェイを採用する。発光部５として、例えばＬＥＤが用いられる。次に、第１制御部１３には、第２識別情報ＩＤ２の取得に並行して、取得した第２識別情報ＩＤ２の各々に対応する第２スイッチＳ２を生成させる。ここで、第２スイッチＳ２は、対応する第２識別情報ＩＤ２を持ったゲートウェイＧＷの発光部５を点灯させるための点灯信号を発生させるスイッチである。尚、第２スイッチＳ２は、点灯信号及び消灯信号を選択的に発生させるものであってもよい。又、第２スイッチＳ２は、記憶部１６に記憶されていてもよく、第１制御部１３は、取得した第２識別情報ＩＤ２の各々に対応する第２スイッチＳ２を記憶部１６から読み出してもよい。
【０１８８】
そして、第１制御部１３には、生成した（又は記憶部１６から読み出した）第２スイッチＳ２を、第２識別情報ＩＤ２に対応させて（例えば、第２識別情報ＩＤ２に重ねて）タッチパネル１８に表示させる。その後、ユーザは、第２識別情報ＩＤ２が表示された画面において、タッチパネル１８上で第２スイッチＳ２を操作することにより、ゲートウェイＧＷの発光部５を点灯させる。これにより、ユーザは、選択しようとしている第２識別情報ＩＤ２がどのゲートウェイＧＷに対応しているのかを確認することが出来る。
【０１８９】
ステップＳ１２２では、第１制御部１３は、第１識別情報ＩＤ１の取得に並行して、取得した第１識別情報ＩＤ１に対応するＬＥＤ照明装置２の各々と無線通信を行うときに得られる通信品質に関する情報（通信品質情報）を取得する。具体的には、通信品質情報は、第１識別情報ＩＤ１の取得の中継を担うゲートウェイＧＷ（選定されたゲートウェイＧＷ）が、対応するＬＥＤ照明装置２の各々と無線通信を行うときに得られるものである。通信品質に関するものである。通信品質情報には、例えば、電波強度や回線品質などの情報が含まれる。一例として、ＬＱＩ（Link  Quality  Indicator）やＲＳＳＩ（Received  Signal  Strength  Indication）などが、通信品質として用いられる。
【０１９０】
次に、ステップＳ１２３において、第１制御部１３は、取得した第１識別情報ＩＤ１を、取得した通信品質情報に基づいて通信品質の高い順に並べ替えて、タッチパネル１８に一覧で表示させる。これに並行して、第１制御部１３は、表示させた第１識別情報ＩＤ１に対応するＬＥＤ照明装置２を点灯させるための第１スイッチＳ１を生成すると共にタッチパネル１８に表示させる。以降、上記実施形態（図１３参照）と同様の操作及び制御が実行される。
【０１９１】
第２変形例によれば、第１識別情報ＩＤ１をタッチパネル１８に表示させるとき、タッチパネル１８には、選定されたゲートウェイＧＷとの直接的な無線通信が可能な範囲に存在するＬＥＤ照明装置２の第１識別情報ＩＤ１のみが表示される。又、通信品質が高いほどゲートウェイＧＷからＬＥＤ照明装置２までの距離が小さくなるという想定の下、タッチパネル１８には、取得された第１識別情報ＩＤ１が、これらに対応するＬＥＤ照明装置２までのゲートウェイＧＷからの距離が小さい順に、表示されることになる。よって、ドラッグ操作による第１識別情報ＩＤ１とエリア画像又は象徴画像との関連付けが容易になる。
【０１９２】
尚、第１制御部１３が行うステップＳ１２２及びＳ１２３の制御は、照明制御装置１が、ゲートウェイＧＷを介さずにＬＥＤ照明装置２から第１識別情報ＩＤ１を直接的に取得する場合にも適用することが出来る。この場合、通信品質情報は、照明制御装置１の第１受信部１２が、対応するＬＥＤ照明装置２の各々と無線通信を行うときに得られる情報となる。
【０１９３】
［３−３］第３変形例
＜照明制御装置の構成＞
上述したグループ登録及びシーン設定は、簡易な照明制御装置１０１により実現されてもよい。図５４は、照明制御装置１０１の構成を概念的に示したブロック図である。照明制御装置１０１は、第１送信部１１１と、第１受信部１１２と、第１制御部１１３と、表示部１１４と、入力部１１５と、記憶部１１６とを有している。第３変形例において、入力部１１５は、接触式の複数のボタンから構成されており、表示部１１４は複数の表示ランプから構成されている。
【０１９４】
図５５は、照明制御装置１０１の正面図であり、表示部１１４及び入力部１１５の構成を具体的に示した図である。照明制御装置１０１は、入力部１１５として、スキャンボタンＢ１０１と、照明選択ボタンＢ１１１及びＢ１１２と、１０個のグループ選択ボタンＢ１０２と、４個のシーン選択ボタンＢ１０３と、調光率設定ボタンＢ１２１及びＢ１２２と、決定ボタンＢ１０４とを有している。スキャンボタンＢ１０１は、複数のＬＥＤ照明装置２から第１識別情報ＩＤ１を一括して取得する際に用いられる。照明選択ボタンＢ１１１及びＢ１１２は、取得した第１識別情報ＩＤ１を選択する際に用いられる。グループ選択ボタンＢ１０２は、後述するグループ登録にてグループを選択する際に用いられる。シーン選択ボタンＢ１０３は、後述するシーン設定にて照明シーンを選択する際に用いられる。調光率設定ボタンＢ１２１及びＢ１２２はそれぞれ、設定せんとする調光率を増加及び低下させる際に用いられる。決定ボタンＢ１０４は、上述した他のボタンを用いた設定を確定させる際に用いられる。これらのボタンの使用方法の詳細については後述する。
【０１９５】
照明制御装置１０１は更に、表示部１１４として、グループ選択ボタンＢ１０２の各々に対応して設けられた表示ランプＬ１０２と、シーン選択ボタンＢ１０３の各々に対応して設けられた表示ランプＬ１０３と、調光率のレベル（即ち、おおよその数値）を視認させるインジケータＩｎとを有している。表示ランプＬ１０２の各々は、それに対応するグループ選択ボタンＢ１０２が押下されたときに点灯する。表示ランプＬ１０３の各々は、それに対応するシーン選択ボタンＢ１０３が押下されたときに点灯する。インジケータＩｎは、一列に並べられた複数の表示ランプから構成されている。そして、インジケータＩｎは、ユーザによる調光率設定ボタンＢ１２１又はＢ１２２の押下に応じて、点灯される表示ランプの数を増減させるか、或いは、点灯される表示ランプの位置を変える。これにより、インジケータＩｎは、調光率のレベルをユーザに視認させる。例えば、インジケータＩｎは、点灯された表示ランプの数が多いほど、設定中の調光率が高いことを意味する。表示ランプの点灯は、ユーザによるボタンの操作に連動する様に、第１制御部１１３によって制御される。尚、ボタン及び表示ランプについて、これらの数や配置は、図５５に示されたものに限定されない。
【０１９６】
図５４において、第１送信部１１１は、第１制御部１１３によって生成された信号を、直接的又はネットワーク３を通じて間接的にＬＥＤ照明装置２へ送信する。第１制御部１１３が生成する信号には、ＬＥＤ照明装置２に対する指令信号や制御信号が含まれる。第１受信部１１２は、ＬＥＤ照明装置２から出力された信号を、直接的又はネットワーク３を通じて間接的に受信する。
【０１９７】
尚、照明制御装置１０１の他の例として、表示部１１４及び入力部１１５は、これらが一体的に形成されたタッチパネルであってもよい。この場合、上述したボタン、表示ランプ、及びインジケータの各々は、タッチパネルに画像として表示されることになる。この様な照明制御装置１０１は、例えば、スマートフォン等の携帯端末に照明制御用のプログラムを読み込ませることにより、実現される。
【０１９８】
第３変形例の照明制御装置１０１が使用される場面として、主に、ゲートウェイＧＷで構成されたネットワーク（図１参照）を持たない小規模の照明システムにおいて、照明制御装置１０１が、複数のＬＥＤ照明装置２を、これらとの直接的な無線通信により制御する場合が想定される。
【０１９９】
＜グループ登録＞
照明制御装置１０１でのグループ登録について説明する。グループ登録を開始する場合、ユーザは先ず、スキャンボタンＢ１０１を押下する。スキャンボタンＢ１０１が押下されると、第１制御部１１３は、第１識別情報ＩＤ１を含んだ情報信号を第１受信部１１２に受信させることにより、複数のＬＥＤ照明装置２から第１識別情報ＩＤ１を取得する。そして、第１制御部１１３は、取得した第１識別情報ＩＤ１を順序付けて記憶部１１６に記憶させる。
【０２００】
次に、ユーザは、照明選択ボタンＢ１１１及びＢ１１２を用いて、取得した第１識別情報ＩＤ１の中から、グループ化させたい第１識別情報ＩＤ１を選択する。ここで、照明選択ボタンＢ１１１は、記憶部１１６に記憶されている次の第１識別情報ＩＤ１を選択する際に押下される。一方、照明選択ボタンＢ１１２は、記憶部１１６に記憶されている前の第１識別情報ＩＤ１に戻る際に押下される。ユーザによる照明選択ボタンＢ１１１及びＢ１１２の操作に応じて、第１制御部１１３は、記憶部１１６に記憶されている第１識別情報ＩＤ１を順番に読み出す。更に、第１制御部１１３は、読み出した第１識別情報ＩＤ１に基づいて、その第１識別情報ＩＤ１に対応するＬＥＤ照明装置２（又はそれに付属のインジケータ）を点灯又は点滅させるための制御信号を生成する。そして、第１制御部１１３は、生成した信号を、対応するＬＥＤ照明装置２に対して、第１送信部１１１を通じて送信する。制御信号を受けたＬＥＤ照明装置２は、ＬＥＤ２４（又は付属のインジケータ）を点灯又は点滅させる。これにより、ユーザは、選択中の第１識別情報ＩＤ１がどのＬＥＤ照明装置２に対応するものであるのかを確認することが出来る。
【０２０１】
第１識別情報ＩＤ１（即ち、ＬＥＤ照明装置２）の選択後、ユーザは、グループ選択ボタンＢ１０２の中から、選択中の第１識別情報ＩＤ１を対応付けたいグループのグループ選択ボタンＢ１０２を押下する。グループ選択ボタンＢ１０２が押下されると、第１制御部１１３は、押下されたグループ選択ボタンＢ１０２に対応する表示ランプＬ１０２を点灯させる。そして、この状態で、ユーザは、決定ボタンＢ１０４を押下することにより、選択中の第１識別情報ＩＤ１及びグループを確定させる。第１識別情報ＩＤ１及びグループが確定されると、第１制御部１１３は、確定された第１識別情報ＩＤ１（即ち、ＬＥＤ照明装置２）を、確定されたグループに関連付けて記憶部１１６に記憶させる。この様なユーザの操作及び第１制御部１１３の制御が繰り返し実行されることにより、取得した第１識別情報ＩＤ１がグループ化される。即ち、ＬＥＤ照明装置２がグループ化されることになる。
【０２０２】
上述したグループ化の完了後或いはグループ化の途中で、ユーザがグループ化の状況を確認したい場合、ユーザは、確認したいグループに対応するグループ選択ボタンＢ１０２を押下すると共に、シーン選択ボタンＢ１０３の何れか１つを更に押下する。その後、ユーザは、調光率設定ボタンＢ１２１又はＢ１２２を押下することにより、選択中のグループに設定されているＬＥＤ照明装置２の調光率を変化させる。そして、ユーザは、操作に応じて調光率が変化するＬＥＤ照明装置２を確認することにより、グループ化の状況を確認する。
【０２０３】
グループ化の状況を確認した後、ユーザがグループ化の設定を変更したい場合、ユーザは、照明選択ボタンＢ１１１及びＢ１１２を用いて、変更したいＬＥＤ照明装置２の第１識別情報ＩＤ１を改めて選択する。その後、ユーザは、選択中の第１識別情報ＩＤ１に対応づけたいグループのグループ選択ボタンを改めて押下する。その状態でユーザが決定ボタンＢ１０４を押下することにより、第１制御部１１３は、確定された第１識別情報ＩＤ１とグループとの対応関係を、変更前の情報に置き換えて記憶部１１６に記憶させる。
【０２０４】
＜シーン設定＞
照明制御装置１０１でのシーン設定について説明する。上述したグループ登録の完了後、シーン設定を開始する場合、ユーザは先ず、登録したグループの中から、照明シーンの構成に用いたいグループのグループ選択ボタンＢ１０２を押下する。次に、ユーザは、シーン選択ボタンＢ１０３の中から、選択中のグループを対応付けたい照明シーンのシーン選択ボタンＢ１０３を押下する。その後、ユーザは更に、選択中の照明シーンにて実現させる、選択中のグループの調光率を、調光率設定ボタンＢ１２１及びＢ１２２を用いて設定する。
【０２０５】
具体的には、ユーザは、インジケータＩｎの表示を見ながら、調光率設定ボタンＢ１２１又はＢ１２２を押下することにより、調光率を設定する。このとき、第１制御部１１３は、設定中の調光率を一時的に記憶すると共に、記憶中の調光率をユーザの操作に応じて書き換える。調光率の設定に関して、一例として、第１制御部１１３は、調光率設定ボタンＢ１２１及びＢ１２２の押下時間が短い場合には調光率を１％ずつ変化させ、押下時間が長い場合には調光率を１０％ずつ変化させる。
【０２０６】
調光率が設定された状態で、ユーザは、決定ボタンＢ１０４を押下することにより、選択中のグループ及び照明シーン並びに調光率を確定させる。これらが確定されると、第１制御部１１３は、確定されたグループ及びその調光率を、確定された照明シーンに関連付けて記憶部１１６に記憶させる。この様なユーザの操作及び第１制御部１１３の制御が繰り返し実行されることにより、１つ又は幾つかのグループが、照明制御情報である調光率と共に照明シーンに対応付けられる。その結果として、ある照明シーンに関連付けられたグループが、１つのゾーンとしてグループ化されることになる。又、ある照明シーンと、その照明シーンを構成するグループ及び照明制御情報（調光率）との対応関係が、１つのシーン情報となる。
【０２０７】
＜照明制御の実行＞
上述したグループ登録及びシーン設定が実行されることにより、シーン制御を行う上で必要な情報が構築されると共に、その情報が記憶部１１６に記憶される。そして、第１制御部１１３は、その情報に基づいて、ゾーンに含まれる全てのＬＥＤ照明装置２をグループごとに制御する。具体的には、第１制御部１１３は、記憶部１１６に記憶されている情報に基づいて、制御信号を生成する。その後、第１制御部１１３は、生成した制御信号を、第１送信部１１１を通じて、ゾーンに含まれる全てのＬＥＤ照明装置２に送信する。
【０２０８】
第３変形例によれば、照明制御装置が簡略化され、ＬＥＤ照明システムを構築する際に必要となるコストを低減させることが出来る。
【０２０９】
［３−４］その他
（１）照明制御装置１は、市販されているスマートフォンのハードウェアと、そのスマートフォンにより実行される照明制御ソフトとの組み合わせにより実現されてもよい。照明制御ソフトは、スマートフォンよってサーバからダウンロードされてもよいし、予めスマートフォンに組み込まれていてもよい。
【０２１０】
（２）本発明の各部構成は上記実施形態に限らず、請求の範囲に記載の技術的範囲内で種々の変形が可能である。例えば、上記ＬＥＤ照明システムの各部構成は、ＬＥＤ照明装置に限定されない様々な照明装置を備えた照明システムに適用することが出来る。又、モニタ画面やＵＩに表示されるボタンやアイコンは、表示形態が特にこれらに限定されるものではなく、表示形態として別の形態を持った画像であってもよい。更に、照明制御装置１は、グループ制御機能及びシーン制御機能の何れか一方の制御機能のみを持ったものであってもよい。
【０２１１】
（３）上述の実施形態の説明は、すべての点で例示であって、制限的なものではないと考えられるべきである。本発明の範囲は、上述の実施形態ではなく、請求の範囲によって示される。更に、本発明の範囲には、請求の範囲と均等の意味及び範囲内での全ての変更が含まれることが意図される。
【符号の説明】
【０２１２】
１  照明制御装置
１１  第１送信部
１２  第１受信部
１３  第１制御部
１４  表示部
１５  入力部
１６  記憶部
１７  読込み部
１８  タッチパネル
２  ＬＥＤ照明装置
２１  第２送信部
２２  第２受信部
２３  第２制御部
２４  ＬＥＤ
２４１、２４２  ＬＥＤ
３  ネットワーク
４  センサ
５  発光部
ＧＷ  ゲートウェイ
ＩＤ１  第１識別情報
ＩＤ２  第２識別情報
Ｐ  配灯画像
Ｐａ  エリア画像
Ｐｓ  象徴画像
Ｉａ７１、Ｉａ７２、Ｉａ７３  画像領域
Ｂ７１１  ゾーン追加ボタン
Ｂ７２１  シーン追加ボタン
Ｂ７３１  グループ追加ボタン
Ｉｅ７３１  変更操作画像
Ｉａ８４、Ｉａ８５  画像領域
Ｂ８４１  シーン追加ボタン
Ｉｓ２  スケジュール画像
Ｗ８６  ウィンドウ
Ｉｅ８６１  シーン選択画像
Ｉｅ８６２  時刻設定画像
Ｉｅ９１  調色画像
【図１】
2016114331.tif 000003
【図２】
2016114331.tif 000004
【図３】
2016114331.tif 000005
【図４】
2016114331.tif 000006
【図５】
2016114331.tif 000007
【図６】
2016114331.tif 000008
【図７】
2016114331.tif 000009
【図８】
2016114331.tif 000010
【図９】
2016114331.tif 000011
【図１０】
2016114331.tif 000012
【図１１】
2016114331.tif 000013
【図１２】
2016114331.tif 000014
【図１３】
2016114331.tif 000015
【図１４】
2016114331.tif 000016
【図１５】
2016114331.tif 000017
【図１６】
2016114331.tif 000018
【図１７】
2016114331.tif 000019
【図１８】
2016114331.tif 000020
【図１９】
2016114331.tif 000021
【図２０】
2016114331.tif 000022
【図２１】
2016114331.tif 000023
【図２２】
2016114331.tif 000024
【図２３】
2016114331.tif 000025
【図２４】
2016114331.tif 000026
【図２５】
2016114331.tif 000027
【図２６】
2016114331.tif 000028
【図２７】
2016114331.tif 000029
【図２８】
2016114331.tif 000030
【図２９】
2016114331.tif 000031
【図３０】
2016114331.tif 000032
【図３１】
2016114331.tif 000033
【図３２】
2016114331.tif 000034
【図３３】
2016114331.tif 000035
【図３４】
2016114331.tif 000036
【図３５】
2016114331.tif 000037
【図３６】
2016114331.tif 000038
【図３７】
2016114331.tif 000039
【図３８】
2016114331.tif 000040
【図３９】
2016114331.tif 000041
【図４０】
2016114331.tif 000042
【図４１】
2016114331.tif 000043
【図４２】
2016114331.tif 000044
【図４３】
2016114331.tif 000045
【図４４】
2016114331.tif 000046
【図４５】
2016114331.tif 000047
【図４６】
2016114331.tif 000048
【図４７】
2016114331.tif 000049
【図４８】
2016114331.tif 000050
【図４９】
2016114331.tif 000051
【図５０】
2016114331.tif 000052
【図５１】
2016114331.tif 000053
【図５２】
2016114331.tif 000054
【図５３】
2016114331.tif 000055
【図５４】
2016114331.tif 000056
【図５５】
2016114331.tif 000057
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
無線で制御される複数の照明装置と、前記複数の照明装置を制御する照明制御装置とを備える照明システムであって、
前記複数の照明装置は、
同じ照明制御が実行される照明装置どうしをグループ化することにより作成された第１グループと、
前記第１グループの全て又は幾つかを更にグループ化することにより作成された第２グループと
に関連付けられ、
前記照明制御装置は、
前記第１グループを制御する第１制御機能に基づく制御状況と、
前記第２グループに属する前記第１グループのそれぞれに照明制御情報を対応付けたシーン情報を、照明シーンに関する情報として記憶し、その第２グループに含まれる照明装置を前記シーン情報に従って第１グループごとに制御することにより、前記照明シーンを実現する第２制御機能に基づく制御状況と
を切り替えて表示するユーザインタフェースを備える、照明システム。
【請求項２】
前記照明制御装置は、表示部と、入力部とを備え、前記シーン情報を作成するための第１ユーザインタフェースを前記表示部に表示させることが可能であり、
前記第１ユーザインタフェースは、
前記第２グループを一覧で表示させる第１画像領域と、
前記第１画像領域に表示された前記第２グループの何れか１つが選択されたとき、選択された前記第２グループに設定されている前記照明シーンを一覧で表示させる第２画像領域と、
前記第２画像領域に表示された前記照明シーンの何れか１つが選択されたとき、選択された前記照明シーンを構成している前記第１グループを一覧で表示させると共に、表示された前記第１グループに対応した前記照明制御情報を表示させる第３画像領域と
を備える、請求項１に記載の照明システム。
【請求項３】
前記照明制御装置は、記憶部を更に備え、
前記第１ユーザインタフェース上で関連付けられた、前記第２グループと、前記照明シーンとの対応関係を、前記記憶部に記憶させると共に、
前記第１ユーザインタフェース上で関連付けられた、前記照明シーンと、その照明シーンを構成する前記第１グループ及び前記照明制御情報との対応関係を、前記シーン情報として、前記記憶部に記憶させる、請求項２に記載の照明システム。
【請求項４】
前記第１ユーザインタフェースは、
前記第１画像領域にて前記第２グループを追加、編集、又は削除するために、前記入力部からの操作により選択される第１ボタンと、
前記第２画像領域にて前記照明シーンを追加、編集、又は削除するために、前記入力部からの操作により選択される第２ボタンと、
前記第３画像領域にて前記第１グループを追加、編集、又は削除するために、前記入力部からの操作により選択される第３ボタンと、
前記第３画像領域に表示された前記第１グループの照明制御情報を、前記入力部からの操作により変更することを可能ならしめる変更操作画像と
を更に備える、請求項２又は３に記載の照明システム。
【国際調査報告】
2016114331.tif 000058
2016114331.tif 000059
2016114331.tif 000060
2016114331.tif 000061